(57)【要約】本開示の様々な態様は、基準信号の獲得に関連付けられた技法に関する。いくつかの態様では、ネットワークは、ＵＥに、近隣セル間のタイミング差を測定することを要求し、ＣＳＩ−ＲＳ構成を生成するためにその情報を使用し得る。ネットワークは、ＵＥが近隣セルからＣＳＩ−ＲＳを獲得することを可能にするためにＵＥにＣＳＩ−ＲＳ構成を送る。いくつかの態様では、ネットワークは、近隣セルにタイミング関連情報を送り得、近隣セルは、ＣＳＩ−ＲＳを送信するためにその情報を使用する。【選択図】図２
2020519126.tif 000002
【特許請求の範囲】
【請求項１】
装置のための通信の方法であって、
チャネル状態情報−基準信号（ＣＳＩ−ＲＳ）のためのタイミングを提供するセルを識別することと、
ユーザ機器（ＵＥ）に前記識別されたセルのインジケーションを送ることと
を備える、方法。
【請求項２】
前記識別されたセルは、前記ＵＥのためのサービングセルを備える、
請求項１に記載の方法。
【請求項３】
前記ＣＳＩ−ＲＳは、前記サービングセルの近隣セルによって送信される、
請求項２に記載の方法。
【請求項４】
前記識別されたセルは、前記ＵＥのためのサービングセルの近隣セルを備える、
請求項１に記載の方法。
【請求項５】
前記ＣＳＩ−ＲＳは、前記近隣セルによって送信される、
請求項４に記載の方法。
【請求項６】
前記方法は、前記ＣＳＩ−ＲＳのためのＣＳＩ−ＲＳ構成を決定することをさらに備え、
前記ＣＳＩ−ＲＳ構成は、前記識別されたセルの前記インジケーションを含み、  
前記ＵＥに前記インジケーションを前記送ることは、前記ＵＥに前記ＣＳＩ−ＲＳ構成を送ることを備える、
請求項１に記載の方法。
【請求項７】
前記ＣＳＩ−ＲＳ構成は、前記ＣＳＩ−ＲＳのサブキャリア間隔のインジケーションを備える、
請求項６に記載の方法。
【請求項８】
前記ＣＳＩ−ＲＳ構成は、前記ＣＳＩ−ＲＳを送信するセルと前記ＵＥのためのサービングセルとの間のサブキャリア間隔を考慮するタイミング差のインジケーションを備える、
請求項６に記載の方法。
【請求項９】
前記ＣＳＩ−ＲＳを送信するセルと、前記ＵＥのためのサービングとの間のタイミング差を決定することをさらに備え、
前記ＣＳＩ−ＲＳ構成の前記決定は、前記タイミング差に基づく、
請求項６に記載の方法。
【請求項１０】
前記タイミング差は、シンボルタイミング差を備える、
請求項９に記載の方法。
【請求項１１】
前記タイミング差は、スロットタイミング差、ミニスロットタイミング差、システムフレーム数タイミング差、またはこれらの任意の組合せを備える、
請求項９に記載の方法。
【請求項１２】
前記タイミング差の前記決定は、前記ＵＥから前記タイミング差のインジケーションを受信することを備える、
請求項１に記載の方法。
【請求項１３】
前記ＵＥに前記タイミング差を測定する要求を送ることをさらに備える、
請求項１に記載の方法。
【請求項１４】
前記タイミング差の前記決定は、
前記ＵＥからの前記タイミング差の第１のインジケーションと、少なくとも１つの他のＵＥからの前記タイミング差の少なくとも１つの第２のインジケーションを受信することと、
前記タイミング差の前記第１のインジケーションおよび前記タイミング差の前記少なくとも１つの第２のインジケーションに基づいて前記タイミング差の推定値を生成することと
を備える、請求項１に記載の方法。
【請求項１５】
通信のための装置であって、
メモリデバイスと、
前記メモリデバイスに結合される処理回路と
を備え、前記処理回路は、
チャネル状態情報−基準信号（ＣＳＩ−ＲＳ）のためのタイミングを提供するセルを識別することと、
ユーザ機器（ＵＥ）に前記識別されたセルのインジケーションを送ることと
を行うように構成される、装置。
【請求項１６】
前記識別されたセルは、前記ＵＥのためのサービングセルを備える、
請求項１５に記載の装置。
【請求項１７】
前記ＣＳＩーＲＳは、前記サービングセルの近隣セルによって送信される、
請求項１６に記載の装置。
【請求項１８】
前記識別されたセルは、前記ＵＥのためのサービングセルの近隣セルを備える、
請求項１５に記載の装置。
【請求項１９】
前記ＣＳＩ−ＲＳは、前記近隣セルによって送信される、
請求項１８に記載の装置。
【請求項２０】
前記処理回路は、前記ＣＳＩ−ＲＳのためのＣＳＩ−ＲＳ構成を決定することを行うようにさらに構成され、
前記ＣＳＩ−ＲＳ構成は、前記識別されたセルのインジケーションを含み、  
前記ＵＥに前記インジケーションを前記送ることは、前記ＵＥに前記ＣＳＩ−ＲＳ構成を送ることを備える、
請求項１５に記載の装置。
【請求項２１】
前記ＣＳＩ−ＲＳ構成は、前記ＣＳＩ−ＲＳのサブキャリア間隔のインジケーションを備える、
請求項２０に記載の装置。
【請求項２２】
前記ＣＳＩ−ＲＳ構成は、前記ＣＳＩ−ＲＳを送信するセルと前記ＵＥのためのサービングセルとの間のサブキャリア間隔を考慮するタイミング差のインジケーションを備える、
請求項２０に記載の装置。
【請求項２３】
前記処理回路は、前記ＣＳＩ−ＲＳを送信するセルと、前記ＵＥのためのサービングとの間のタイミング差を決定することを行うようにさらに構成され、
前記ＣＳＩ−ＲＳ構成の前記決定は、前記タイミング差に基づく、
請求項１５に記載の装置。
【請求項２４】
前記タイミング差の前記決定は、前記ＵＥから前記タイミング差のインジケーションを受信することを備える、
請求項２３に記載の装置。
【請求項２５】
前記処理回路は、
前記ＵＥに前記タイミング差を測定する要求を送ることを行うようにさらに構成される、
請求項１５に記載の装置。
【請求項２６】
通信のための装置であって、
チャネル状態情報−基準信号（ＣＳＩ−ＲＳ）のためのタイミングを提供するセルを識別するための手段と、
ユーザ機器（ＵＥ）に前記識別されたセルのインジケーションを送るための手段と
を備える、装置。
【請求項２７】
前記装置は、前記ＣＳＩ−ＲＳのためのＣＳＩ−ＲＳ構成を決定するための手段をさらに備え、
前記ＣＳＩ−ＲＳ構成は、前記識別されたセルのインジケーションを含み、  
前記ＵＥに前記インジケーションを前記送ることは、前記ＵＥに前記ＣＳＩ−ＲＳ構成を送ることを備える、
請求項２６に記載の装置。
【請求項２８】
前記装置は、前記ＣＳＩ−ＲＳを送信するセルと、前記ＵＥのためのサービングとの間のタイミング差を決定するための手段をさらに備え、
前記ＣＳＩ−ＲＳ構成の前記決定は、前記タイミング差に基づく、
請求項２６に記載の装置。
【請求項２９】
前記ＵＥに前記タイミング差を測定する要求を送るための手段をさらに備える、
請求項２６に記載の装置。
【請求項３０】
非一時的コンピュータ可読媒体であって、
チャネル状態情報−基準信号（ＣＳＩ−ＲＳ）のためのタイミングを提供するセルを識別することと、
ユーザ機器（ＵＥ）に前記識別されたセルのインジケーションを送ることと
を行うコードを含むコンピュータ実行可能コードを記憶する、非一時的コンピュータ可読媒体。
【請求項３１】
装置のための通信の方法であって、
ユーザ機器（ＵＥ）でチャネル状態情報基準信号（ＣＳＩ−ＲＳ）を受信するためのタイミングを提供するセルのインジケーションを受信することと、
前記ＣＳＩ−ＲＳを受信することと
を備える、方法。
【請求項３２】
前記示されたセルの前記タイミングを決定することをさらに備え、
前記ＣＳＩ−ＲＳの前記受信は、前記決定されたタイミングに基づく、
請求項３１に記載の方法。
【請求項３３】
前記示されたセルは、前記ＵＥのためのサービングセルを備える、
請求項３１に記載の方法。
【請求項３４】
前記ＣＳＩ−ＲＳは、前記サービングセルの近隣セルによって送信される、
請求項３３に記載の方法。
【請求項３５】
前記示されたセルは、前記ＵＥのためのサービングセルの近隣セルを備える、
請求項３１に記載の方法。
【請求項３６】
前記ＣＳＩ−ＲＳは、前記近隣セルによって送信される、
請求項３５に記載の方法。
【請求項３７】
前記インジケーションの前記受信は、前記インジケーションを含む前記ＣＳＩ−ＲＳのためのＣＳＩ−ＲＳ構成を受信すること備える、
請求項３１に記載の方法。
【請求項３８】
前記ＣＳＩ−ＲＳ構成に基づいて前記ＣＳＩ−ＲＳを復号することをさらに備える、
請求項３７に記載の方法。
【請求項３９】
前記復号することは、
前記ＣＳＩ−ＲＳ構成に基づいてスクランブリングシーケンスを決定することと、
前記スクランブリングシーケンスに基づいて前記ＣＳＩ−ＲＳを復号することと
をさらに備える、請求項３８に記載の方法。
【請求項４０】
前記ＣＳＩ−ＲＳ構成は、前記ＣＳＩ−ＲＳのサブキャリア間隔のインジケーションを備える、
請求項３７に記載の方法。
【請求項４１】
前記ＣＳＩ−ＲＳ構成は、前記ＣＳＩ−ＲＳを送信するセルと前記ＵＥのためのサービングセルとの間のサブキャリア間隔を考慮するタイミング差のインジケーションを備える、
請求項３７に記載の方法。
【請求項４２】
前記ＣＳＩ−ＲＳ構成は、前記ＵＥのためのサービングセルと、前記示されたセルとの間のタイミング差に基づく、
請求項３７に記載の方法。
【請求項４３】
前記タイミング差を決定することと、
前記サービングセルに前記タイミング差のインジケーションを送ることと
をさらに備える、請求項４２に記載の方法。
【請求項４４】
前記ＣＳＩ−ＲＳに基づいて前記示されたセルに関連付けられたモビリティ動作を実施することをさらに備える、
請求項３１に記載の方法。
【請求項４５】
通信のための装置であって、
メモリデバイスと、
前記メモリデバイスに結合される処理回路と
を備え、前記処理回路は、
ユーザ機器（ＵＥ）でチャネル状態情報基準信号（ＣＳＩ−ＲＳ）を受信するためのタイミングを提供するセルのインジケーションを受信することと、
前記ＣＳＩ−ＲＳを受信することと
を行うように構成される、装置。
【請求項４６】
前記処理回路は、前記示されたセルの前記タイミングを決定することを行うようにさらに構成され、
前記ＣＳＩ−ＲＳの前記受信は、前記決定されたタイミングに基づく、
請求項４５に記載の装置。
【請求項４７】
前記インジケーションの前記受信は、前記インジケーションを含む前記ＣＳＩ−ＲＳのためのＣＳＩ−ＲＳ構成を受信すること備える、
請求項４５に記載の装置。
【請求項４８】
前記処理回路は、
前記ＣＳＩ−ＲＳ構成に基づいて前記ＣＳＩ−ＲＳを復号することを行うようにさらに構成される、
請求項４７に記載の装置。
【請求項４９】
前記ＣＳＩ−ＲＳ構成は、前記ＵＥのためのサービングセルと、前記示されたセルとの間のタイミング差に基づく、
請求項４７に記載の装置。
【請求項５０】
前記処理回路は、
前記タイミング差を決定することと、
前記サービングセルに前記タイミング差のインジケーションを送ることと
を行うようにさらに構成される、請求項４９に記載の装置。
【請求項５１】
前記処理回路は、
前記ＣＳＩ−ＲＳに基づいて前記示されたセルに関連付けられたモビリティ動作を実施することをさらに備える、
請求項４５に記載の装置。
【請求項５２】
通信のための装置であって、
ユーザ機器（ＵＥ）でチャネル状態情報基準信号（ＣＳＩ−ＲＳ）を受信するためのタイミングを提供するセルのインジケーションを受信するための手段と、
前記ＣＳＩ−ＲＳを受信するための手段と
を備える、装置。
【請求項５３】
前記装置は、前記示されたセルの前記タイミングを決定するための手段をさらに備え、
前記ＣＳＩ−ＲＳの前記受信は、前記決定されたタイミングに基づく、
請求項５２に記載の装置。
【請求項５４】
前記インジケーションの前記受信は、前記インジケーションを含む前記ＣＳＩ−ＲＳのためのＣＳＩ−ＲＳ構成を受信すること備える、
請求項５２に記載の装置。
【請求項５５】
前記ＣＳＩ−ＲＳ構成に基づいて前記ＣＳＩ−ＲＳを復号するための手段をさらに備える、
請求項５４に記載の装置。
【請求項５６】
前記ＣＳＩ−ＲＳ構成は、前記ＵＥのためのサービングセルと、前記示されたセルとの間のタイミング差に基づく、
請求項５４に記載の装置。
【請求項５７】
前記タイミング差を決定するための手段と、
前記サービングセルに前記タイミング差のインジケーションを送るための手段と
をさらに備える、請求項５６に記載の装置。
【請求項５８】
前記ＣＳＩ−ＲＳに基づいて前記示されたセルに関連付けられたモビリティ動作を実施するための手段をさらに備える、
請求項５２に記載の装置。
【請求項５９】
非一時的コンピュータ可読媒体であって、
ユーザ機器（ＵＥ）でチャネル状態情報基準信号（ＣＳＩ−ＲＳ）を受信するためのタイミングを提供するセルのインジケーションを受信することと、
前記ＣＳＩ−ＲＳを受信することと
を行うコードを含む、コンピュータ実行可能コードを記憶する非一時的コンピュータ可読媒体。
【発明の詳細な説明】
【関連出願の相互参照】
【０００１】
[0001]本願は、２０１７年５月５日付で米国特許商標庁に出願された仮出願第６２／５０２，３５３号、および２０１８年５月３日付で米国特許商標庁に出願された非仮出願第１５／９７０，８１６号に対する優先権とその利益を主張し、その内容全体が、参照により本明細書に組み込まれる。
【導入】
【０００２】
[0002]本明細書に説明される様々な態様は、ワイヤレス通信に関し、より詳細には、基準信号を獲得することに関するが、これに限られない。
【０００３】
[0003]ワイヤレス通信ネットワークは、電話通信、ビデオ、データ、メッセージング、ブロードキャスト等のような様々な通信サービスを提供するために広く展開されている。そのようなネットワークは、通常、多元接続ネットワークであり、利用可能なネットワークリソースを共有することによって複数のユーザのための通信をサポートする。
【０００４】
[0004]いくつかのワイヤレス通信ネットワークでは、セル固有基準信号（ＣＲＳ）は、モビリティ判定（例えば、別のセルにハンドオーバするかどうか）を行うために使用され得る。しかしながら、ＣＲＳのユーザは、非効率的である、またはＣＲＳがいくつかのネットワークにおいて利用可能でないかもしれない。従って、ワイヤレス通信ネットワークにおける効率的なモビリティ技法の必要性がある。
【発明の概要】
【０００５】
[0005]以下は、本開示のいくつかの態様の基本的な理解を提供するために、そのような態様の簡略化された概要を提示する。この概要は、本開示の考慮されるすべての特徴の広範な概観ではなく、そして本開示のすべての態様の主要または重要な要素を特定するようにも、本開示の任意またはすべての態様の範囲を詳細に叙述するようにも、意図されていない。その唯一の目的は、後に提示されるより詳細な説明への前置きとして、簡略化された形式で本開示のいくつかの態様の様々な概念を提示することである。
【０００６】
[0006]いくつかの態様では、本開示は、通信の方法を提供する。方法は、チャネル状態情報基準信号（ＣＳＩ−ＲＳ）のためにタイミングを提供するセルを識別することと、ユーザ機器（ＵＥ）に識別されたセルのインジケーションを送ることとを含む。
【０００７】
[0007]いくつかの態様では、本開示は、メモリデバイスと、メモリに結合された処理回路とを含む、通信のための装置を提供する。処理回路は、チャネル状態情報基準信号（ＣＳＩ−ＲＳ）のためにタイミングを提供するセルを識別することと、ユーザ機器（ＵＥ）に識別されたセルのインジケーションを送ることとを行うように構成される。
【０００８】
[0008]いくつかの態様では、本開示は、通信のために構成された装置を提供する。装置は、チャネル状態情報基準信号（ＣＳＩ−ＲＳ）のためにタイミングを提供するセルを識別するための手段と、ユーザ機器（ＵＥ）に識別されたセルのインジケーションを送るための手段とを含む。
【０００９】
[0009]いくつかの態様では、本開示は、チャネル状態情報基準信号（ＣＳＩ−ＲＳ）のためにタイミングを提供するセルを識別することと、ユーザ機器（ＵＥ）に識別されたセルのインジケーションを送ることとを行うためのコードを含むコンピュータ実行可能コードを記憶する非一時的コンピュータ可読媒体を提供する。
【００１０】
[0010]いくつかの態様では、本開示は、通信の方法を提供する。方法は、ユーザ機器（ＵＥ）でチャネル状態情報基準信号（ＣＳＩ−ＲＳ）を受信するためのタイミングを提供するセルのインジケーションを受信することと、ＣＳＩ−ＲＳを受信することとを含む。
【００１１】
[0011]いくつかの態様では、本開示は、メモリデバイスと、メモリに結合された処理回路とを含む、通信のための装置を提供する。処理回路は、ユーザ機器（ＵＥ）でチャネル状態情報基準信号（ＣＳＩ−ＲＳ）を受信するためのタイミングを提供するセルのインジケーションを受信することと、ＣＳＩ−ＲＳを受信することとを行うように構成される。
【００１２】
[0012]いくつかの態様では、本開示は、通信のために構成された装置を提供する。装置は、ユーザ機器（ＵＥ）でチャネル状態情報基準信号（ＣＳＩ−ＲＳ）を受信するためのタイミングを提供するセルのインジケーションを受信するための手段と、ＣＳＩ−ＲＳを受信するための手段とを含む。
【００１３】
[0013]いくつかの態様では、本開示は、ユーザ機器（ＵＥ）でチャネル状態情報基準信号（ＣＳＩ−ＲＳ）を受信するためのタイミングを提供するセルのインジケーションを受信することと、ＣＳＩ−ＲＳを受信することとを行うためのコードを含むコンピュータ実行可能コードを記憶する非一時的コンピュータ可読媒体を提供する。
【００１４】
[0014]本開示のこれらのおよび他の態様は、以下の詳細な説明を検討すると、より完全に理解されるようになる。本開示の他の態様、特徴、およびインプリメンテーション（ｉｍｐｌｅｍｅｎｔａｔｉｏｎ）は、添付の図と併せて本開示の特定のインプリメンテーションの以下の説明を検討すると、当業者には明らかとなる。本開示の特徴は、特定のインプリメンテーションおよび図に関連して以下で説明され得るが、本開示の全てのインプリメンテーションは、本明細書で論じられる有利な特徴の１つまたは複数を含むことができる。言い換えれば、１つまたは複数のインプリメンテーションが特定の有利な特徴を有するものとして説明され得るが、そのような特徴のうちの１つまたは複数はまた、本明細書で論じられる本開示の様々なインプリメンテーションにしたがって使用され得る。同様の方法で、特定のインプリメンテーションは、デバイス、システム、または方法の実装として以下に説明され得るが、そのようなインプリメンテーションが、様々なデバイス、システム、および方法に実装され得ると理解されるべきである。
【図面の簡単な説明】
【００１５】
[0015]添付の図面は、本開示の様々な態様の説明に役立つように提示されており、その態様の例示のためだけに提供されるが、これらに限定されるものではない。
【図１】図１は、本開示の態様が使用され得る例の通信システムの図である。
【図２】図２は、本開示の態様が使用され得る別の例の通信システムのブロック図である。
【図３】図３は、本開示の様々な態様による、ＣＳＩ−ＲＳ構成を提供し、使用するための例のプロセスを例示する図である。
【図４】図４は、本開示のいくつかの態様による、第２のセルからのＣＳＩ−ＲＳを受信する第１のセルのタイミングを使用するための例のプロセスを例示する図である。
【図５】図５は、本開示のいくつかの態様による、第２のセルからのＣＳＩ−ＲＳを受信する第２のセルのタイミングを使用するための例のプロセスを例示する図である。
【図６】図６は、本開示のいくつかの態様による、異なるセルによるＣＳＩ−ＲＳ送信をスケジュールするための例のプロセスを例示する図である。
【図７】図７は、本開示のいくつかの態様による、通信をサポートすることができる装置（例えば、電子デバイス）のための例のハードウェアインプリメンテーションを例示するブロック図である。
【図８】図８は、本開示のいくつかの態様による、ＣＳＩ−ＲＳのインジケーションを提供するためのプロセスの例を例示する図である。
【図９】図９は、本開示のいくつかの態様による、ＣＳＩ−ＲＳ構成を提供するためのプロセスの例を例示するフローチャートである。
【図１０】図１０は、本開示のいくつかの態様による、タイミング情報を通信するためのプロセスの例を例示するフローチャートである。
【図１１】図１１は、本開示のいくつかの態様による、通信をサポートすることができる装置（例えば、電子デバイス）のための別の例のハードウェアインプリメンテーションを例示するブロック図である。
【図１２】図１２は、本開示のいくつかの態様による、ＣＳＩ−ＲＳを獲得するためのプロセスの例を例示するフローチャートである。
【図１３】図１３は、本開示のいくつかの態様による、ＣＳＩ−ＲＳを獲得するためのプロセスの例を例示するフローチャートである。
【図１４】図１４は、本開示のいくつかの態様による、通信をサポートすることができる装置（例えば、電子デバイス）のための別の例のハードウェアインプリメンテーションを例示するブロック図である。
【図１５】図１５は、本開示のいくつかの態様による、ＣＳＩ−ＲＳを獲得するためのプロセスの例を例示するフローチャートである。
【発明を実施するための形態】
【００１６】
[0031]本開示の様々な態様は、基準信号の獲得に関する。いくつかの態様では、ネットワークは、ＣＳＩ−ＲＳを受信するために使用するセルタイミング（例えば、サービングセルタイミングまたは近隣セルタイミング）をユーザ機器（ＵＥ）に伝えるインジケーションをＵＥに送り得る。セルタイミングは、例えば、セルにおいて送信された同期信号ブロック（ＳＳ−ブロック）のタイミングに基づいて決定され得る。いくつかの態様では、ネットワークは、ＵＥに、異なるセルの間で異なるタイミングを測定することを要求し、ＣＳＩ−ＲＳ構成を生成するためにその情報を使用し得る。ネットワークは、ＵＥが近隣セルからＣＳＩ−ＲＳを獲得することを可能にするためにＵＥにＣＳＩ−ＲＳ構成を送る。いくつかの態様では、ネットワークは、近隣セルにタイミング関連情報を送り得、近隣セルは、ＣＳＩ−ＲＳを送信するためにその情報を使用する。
【００１７】
[0032]添付図面に関連して以下に記載される詳細な説明は、様々な構成の説明として意図されており、ここに説明される概念が実施され得るのはこれらの構成においてのみであることを表すようには意図されていない。詳細な説明は、様々な概念の完全な理解を提供する目的で特定の詳細を含む。しかしながら、これらのコンセプトがこれらの特定の詳細なしに実施され得ることは、当業者に明らかになるであろう。その上、代替の構成が、本開示の範囲から逸脱することなく考案され得る。さらに、周知の要素は、本開示の関連する詳細を不明瞭にすることを避けるために、詳細には説明されないか、または省略されることになる。
【００１８】
[0033]本開示全体を通して提示される様々な概念は、幅広く様々な電気通信システム、ネットワークアーキテクチャ、および通信規格にわたりインプリメントされ得る。例えば、第３世代パートナシッププロジェクト（３ＧＰＰ（登録商標））は、しばしばロングタームエボリューション（ＬＴＥ（登録商標））ネットワークと称される、発展型パケットシステム（ＥＰＳ）を包含するネットワークのためのいくつかのワイヤレス通信規格を定義する規格団体である。第５世代（５Ｇ）ネットワークのような、ＬＴＥネットワークの発展型バージョンは、ウェブブラウザ、ビデオストリーミング、ＶｏＩＰ、ミッションクリティカルアプリケーション、マルチホップネットワーク、リアルタイムフィードバックを持つリモート動作（例えば、遠隔手術）等を含むがこれらに限定されない、アプリケーションまたはサービスの多くの異なるタイプを提供し得る。従って、本明細書での教示は、限定されないが、５Ｇ技術、第４世代（４Ｇ）技術、第３世代（３Ｇ）技術、および他のネットワークアーキテクチャを含む様々なネットワーク技術に従ってインプリメントされることができる。さらに、本明細書で説明される技法は、ダウンリンク、アップリンク、ピアツーピアリンク、またはリンクのいくつかの他のタイプのために使用され得る。
【００１９】
[0034]使用される実際の電気通信規格、ネットワークアーキテクチャ、および／または通信規格は、システムに課せられた全体的な設計制約および特定の用途に依存するであろう。例示の目的のために、以下では、５Ｇシステムおよび／またはＬＴＥシステムのコンテキストにおける様々な態様を説明し得る。しかしながら、本明細書での教示が、なお他のシステムにおいて使用され得ることを理解されたい。従って、５Ｇおよび／またはＬＴＥの専門用語のコンテキストにおける機能性への言及は、技術の他のタイプ、ネットワーク、コンポーネント、シグナリング、等に等しく適用可能であると理解されるべきである。  
例となる通信システム
【００２０】
[0035]図１は、ワイヤレス通信システム１００の例を例示し、ここで、ユーザ機器（ＵＥ）は、ワイヤレス通信シグナリングを介して他のデバイスと通信することができる。例えば、第１のＵＥ１０２および第２のＵＥ１０４は、第１の送受信ポイント（ＴＲＰ）１０６および／または他のネットワークコンポーネント（例えば、コアネットワーク１０８、インターネットサービスプロバイダ（ＩＳＰ）１１０、ピアデバイス、等）によって管理されるワイヤレス通信リソースを使用して第１のＴＲＰと通信し得る。加えて、システム１００におけるデバイスは、デバイスツーデバイス（Ｄ２Ｄ）リンク１１２または他の同様なリンクを介して直接的に互いに通信し得る。
【００２１】
[0036]本明細での教示に従って、ワイヤレス通信システム１００におけるデバイスは、ＣＳＩ−ＲＳ構成および送信のための機能性１１４を含む。例えば、第１のＵＥ１０２、第２のＵＥ１０４、第１のＴＲＰ１０６、および第２のＴＲＰ１１６の各々は、以下でより詳細に議論されるようなＣＳＩ−ＲＳ構成および送信のための機能性１１４を含み得る。
【００２２】
[0037]ワイヤレス通信システム１００のリンクおよびコンポーネントは、異なるインプリメンテーションにおいて異なる形式をとり得る。限定されないが、例えば、ＵＥは、セルラデバイス、モノのインターネット（ＩｏＴ）デバイス、セルラＩｏＴ（ＣＩｏＴ）デバイス、ＬＴＥワイヤレスセルラデバイス、マシンタイプ通信（ＭＴＣ）セルラデバイス、スマートアラーム、リモートセッション、スマートフォン、携帯電話、スマートメータ、携帯情報端末（ＰＤＡ）、パーソナルコンピュータ、メッシュノード、およびタブレットコンピュータであり得る。
【００２３】
[0038]いくつかの態様では、ＴＲＰは、特定の物理セルのための無線ヘッダ機能性を組み込む物理エンティティを指し得る。いくつかの態様では、ＴＲＰは、直交周波数分割多重（ＯＦＤＭ）に基づくエアインターフェースとの５Ｇ新規無線（ＮＲ）機能性を含み得る。ＮＲは、限定されないが、例えば、発展型モバイルブロードバンド（ｅＭＢＢ）、ミッションクリティカルサービス、およびＩｏＴデバイスのワイドスケール展開をサポートし得る。ＴＲＰの機能性は、１つまたは複数の態様において、ＣＩｏＴ基地局（Ｃ−ＢＳ）、ノードＢ、発展型ノードＢ（ｅＮｏｄｅＢ）、無線アクセスネットワーク（ＲＡＮ）アクセスノード、無線ネットワークコントローラ（ＲＮＣ）、基地局（ＢＳ）、無線基地局（ＲＢＳ）、基地局コントローラ（ＢＳＣ）、基地トランシーバ局（ＢＴＳ）、トランシーバ機能（ＴＦ）、無線トランシーバ、無線ルータ、ベーシックサービスセット（ＢＳＳ）、拡張型サービスセット（ＥＳＳ）、マクロセル、マクロノード、ホームｅＮＢ（ＨｅＮＢ）、フェムトセル、フェムトノード、ピコノード、または何らかの他の適切なエンティティと類似し得る。異なるシナリオ（例えば、ＮＲ、ＬＴＥ、等）において、ＴＲＰは、ｇノードＢ（ｇＮＢ）、ｅＮＢ、基地局と称され得る、または他の専門用語を使用して称され得る。
【００２４】
[0039]ネットワークツーデバイスリンクおよびＤ２Ｄリンクの様々なタイプは、ワイヤレス通信システム１００においてサポートされ得る。例えば、Ｄ２Ｄリンクは、限定されないが、マシンツーマシン（Ｍ２Ｍ）リンク、ＭＴＣリンク、ビークルツービークル（Ｖ２Ｖ：vehicle-to-vehicle）リンク、およびビークルツーエニシング（Ｖ２Ｘ：vehicle-to-anything）リンクを含み得る。ネットワークツーデバイスリンクは、限定されないが、アップリンク（または逆方向リンク）、ダウンリンク（または順方向リンク）、およびビークルツーネットワーク（Ｖ２Ｎ）リンクを含み得る。  
例となる通信コンポーネント
【００２５】
[0040]図２は、ワイヤレス通信システム２００の別の例を例示し、ここで、第１のデバイス（例えば、ＵＥ）２０２は、異なるセルから信号を受信し得る。例えば、第１のデバイス２０２は現在、サービングセル２０４（例えば、ｇＮＢのセル）からサービスを受け得るが、近隣セル２０６（例えば、別のｇＮＢのセル）のような近くのセルの測定を繰り返し実施する（conduct)。図２の複雑さを軽減するために、３つのエンティティのみが示される。特に、ワイヤレス通信システムは、これらのエンティティよりも多くのエンティティを含み得る。
【００２６】
[0041]本明細書の技術に従って、第１のデバイス２０２は、サービングセル２０４からの支援を用いて近隣セル２０６からのＣＳＩ−ＲＳを復号し得る。このような目的で、第１のデバイス２０２はオプションとして、ＮＲ同期信号（ＮＲ−ＳＳ）に基づいてセル間のタイミング差（例えば、シンボルタイミング差またはいくつかの他のタイミング差）を測定し、サービングセルにタイミング差を報告する機能性２０８を含み得る。例えば、第１のデバイス２０２は、サービングセル２０４から受信したＮＲ−ＳＳ２１６および近隣セル２０６から受信したＮＲ−ＳＳ２１８に基づいて、サービングセル２０４と近隣セル２０６との間のシンボルタイミング差（または何らかの他のタイミング差）を測定し得る。その結果、第１のデバイス２０２はオプションとして、サービングセル２０４にタイミング差２２０のインジケーションを送り得る。
【００２７】
[0042]サービングセル２０４は、ＣＳＩ−ＲＳ構成を決定するために機能性２１０を含み得る。いくつかのシナリオでは、ＣＳＩ−ＲＳ構成は、ＣＳＩ−ＲＳを受信するための（例えば、近隣セル２０６からＣＳＩ−ＲＳを受信するための）タイミング基準としてどのセルを第１のデバイスが使用し得るか示し得る。例えば、ＣＳＩ−ＲＳ構成は、第１のデバイス２０２がＣＳＩ−ＲＳのタイミングをサービングセル２０４のタイミングに準拠させることを示し得る。別の例として、ＣＳＩ−ＲＳ構成は、第１のセル２０２がＣＳＩ−ＲＳのタイミングを近隣セル２０６のタイミングに準拠させることを示し得る。本明細書で議論されるように、サービングセル２０４は、第１のデバイス２０２にＣＳＩ−ＲＳ構成２２２を送り得る。
【００２８】
[0043]いくつかのシナリオでは、ＣＳＩ−ＲＳ構成の決定は、サービングセル２０４と近隣セル２０６との間のシンボルタイミング差（または何らかの他のタイミング差）に基づく。いくつかのインプリメンテーションでは、この決定は、第１のデバイス２０２によって送られたタイミング差２２０に基づき得る。いくつかのインプリメンテーションでは、この決定は、サービングセルが近隣セルから受信したおよび／または近隣セルに送るタイミング情報に基づき得る。従って、サービングセル２０４は、近隣セル２０６におよび／または近隣セルから、タイミング情報２２４（例えば、ＣＳＩ−ＲＳタイミング情報）を送るおよび／または受信し得る。
【００２９】
[0044]近隣セルから２０６は、ＣＳＩ−ＲＳを送信する機能性２１４を含む。ＣＳＩ−ＲＳは、近隣セル２０６のタイミングに基づいておよび／またはサービングセル２０４または何らかの他のエンティティから受信したＣＳＩ−ＲＳタイミング情報に基づいて送信され得る。例えば、ＣＳＩ−ＲＳタイミング情報は、近隣セル２０６がいつＣＳＩ−ＲＳ２２６を送信するかを示し得る。
【００３０】
[0045]第１のデバイス２０２はさらに、近隣セル２０６のＣＳＩ−ＲＳを復号する機能性２１２を含み得る。いくつかの態様では、この復号は、サービングセル２０４から受信したＣＳＩ−ＲＳ構成２２２に基づき得る。ワイヤレス通信システム２００の他のデバイスは、上で議論されたのと類似の機能性（図示されていない）を含み得る。  
ＣＳＩ−ＲＳ構成および送信
【００３１】
[0046]無線リソース制御（ＲＲＣ）ＣＯＮＮＥＣＴＥＤモードにおけるセルレベルモビリティについて、ＩＤＬＥモード基準信号ＲＳ（例えば、ＮＲ−ＳＳ）に加えて、ＣＳＩ−ＲＳが使用されることができる。測定のための近隣セルの検出は、ＮＲ−ＳＳに基づき得る。
【００３２】
[0047]ＣＳＩ−ＲＳを包含するＲＲＣ  ＣＯＮＮＥＣＴＥＤモードモビリティについて、ＵＥは、近隣セルからのＣＳＩ−ＲＳ送信を測定するためにＣＳＩ−ＲＳ構成を使用し得る。ＣＳＩ−ＲＳ構成は、例えば、アンテナポート、ＣＳＩ−ＲＳ基準信号構成、ＣＳＩ−ＲＳサブフレーム構成、およびＣＳＩ−ＲＳスクランブリングアイデンティティを含み得る。これらのパラメータは、近隣セルタイミングの関数であり、それは、システムフレーム数、サブフレームインデックス、スロットインデックス、ミニスロットインデックス、またはシンボルインデックスのうちの１つまたは複数を含み得る。タイミング情報は、各近隣セルの物理ブロードキャストチャネル（ＰＢＣＨ）中で伝達され得る。
【００３３】
[0048]ＣＯＮＮＥＣＴＥＤモードにおけるＵＥは、近隣セルからのＰＢＣＨを復号しないように構成されてもよい。例えば、ＰＢＣＨの復号は、ＣＯＮＮＥＣＴＥＤ測定の間の動作の複雑さを低減するために回避され得る。それ故に、ＵＥは、近隣セルからのＣＳＩ−ＲＳ送信を測定することができなくてもよい。
【００３４】
[0049]本開示は、いくつかの態様では、ＵＥが近隣セルのＰＢＣＨを読み取ることを要求すること無しに、ＵＥが近隣セルのＣＳＩ−ＲＳを復号することができるようにすることに関する。例えば、ネットワークは、ターゲットセルのタイミング（または関連のあるタイミング）および／またはスクランブリング情報を取得することでＵＥを支援し得る。この目的で、ネットワーク（例えば、現在のサービングセル）は、以下の動作のうちの１つまたは複数を実行し得る。
【００３５】
[0050]いくつかの態様では、ネットワークは、サービングセルと１つまたは複数の近隣セルとの間のシンボルタイミング差（または何らかの他のタイミング差）を測定するために１つまたは複数のＵＥを構成し得る。いくつかのシナリオでは、ＵＥは、そのような測定を実施することを自立的に選択し得る。
【００３６】
[0051]従って、ネットワーク（例えば、ネットワーク中のセル）は、１つまたは複数のＵＥからタイミング差を取得し得る。代替として、または追加として、ネットワークは、ネットワークが１つまたは複数のセルから受信する、タイミング情報を基礎としたタイミング差を決定し得る。このタイミング差またはこれらのタイミング差から、ネットワークは、サービングセルと近隣セルとの間のタイミング差を推定値を導出する。
【００３７】
[0052]ネットワークは、ＣＳＩ−ＲＳ構成および送信のための、サービングセルと近隣セルとの間のタイミング差を使用し得る。例えば、ネットワークは、タイミング差に基づいて、１つまたは複数の近隣のＣＳＩ−ＲＳ構成を生成し、ＵＥにＣＳＩ−ＲＳ構成を送り得る。
【００３８】
[0053]ＣＳＩ−ＲＳ構成は、アンテナポート、ＣＳＩ−ＲＳ基準信号構成、ＣＳＩ−ＲＳサブフレーム構成、および他の情報を含み得る。ネットワークは、ＣＳＩ−ＲＳのためのタイミングがサービングセルまたは近隣セルのタイミングに基づくことをＵＥに示し得る。ネットワークは、ＵＥに、システムフレーム数（ＳＦＮ）のサブセット、サブフレームインデックス（ＳＦＩ）、シンボルインデックス（ＳＩ）および／またはサービングセルと近隣セルとの間のタイミング（例えば、シンボルタイミング）における差を提供し得る。スクランブリングＩＤまたはスクランブリングＩＤを取得するためのシードは、ＣＳＩ−ＲＳ構成の一部として提供されることができる。ネットワークはまた、（１）同じスクランブリングシーケンスが、または（２）異なるスクランブリングシーケンスがサービングセルと近隣セルとの間のシンボルタイミング差推定の間のシンボルを通して送られるかどうかを指定し得る。
【００３９】
[0054]ネットワーク（例えば、現在のサービングセル、またはモビリティ管理エンティティ（ＭＭＥ）のようなネットワークノード、ゲートウェイ、等）はまた、近隣セルからのＣＳＩ−ＲＳの送信を制御し得る。１つのシナリオでは、ネットワークは、近隣セルに、近隣セルのタイミングに基づいて送信するように指示し得る。
【００４０】
[0055]別のシナリオでは、ネットワークは、近隣セルに、サービングセルのタイミングに基づいてＣＳＩ−ＲＳを送信するように指示し、そのケースでは、以下の動作がサポートされ得る。ネットワークは、サービングセルと近隣セルとの間のシンボルタイミング差の推定値、ＳＩ、ＳＦＩ、およびＳＦＮのサブセットを近隣セルに提供し得る。ネットワークはまた、同じスクランブリングシーケンスが、または異なるスクランブリングシーケンスがサービングセルと近隣セルとの間のシンボルタイミング差の間のシンボルを通して送られるかどうかを指定し得る。ネットワークはまた、（例えば、異なるセルによるＣＳＩ−ＲＳの送信の間のオフセットを指定することによって）１つまたは複数のセルからのＣＳＩ−ＲＳの送信を調整し得る。
【００４１】
[0056]ネットワークによって構成される場合、ＵＥは、サービングセルと１つまたは複数の近隣セルとの間のタイミング差を測定し得る。加えて、ネットワークによって構成される場合、ＵＥは、ネットワークにシンボル差を報告し得る。  
例示的な動作
【００４２】
[0057]以上を考慮すると、図３は、本開示のいくつかの態様にしたがった、通信のための処理３００を例示する。処理３００は、例えば、少なくとも１つのＵＥ、少なくとも１つのｇＮＢ、少なくとも１つのアクセス端末、少なくとも１つのＴＲＰ、少なくとも１つの基地局、等のうちの１つまたは複数によってまとめて実行され得る。当然ながら、本開示の範囲内の様々な態様では、処理３００は、通信に関連する動作（例えば、ＲＳに関連する動作）をサポートすることが可能な任意の適切な装置によってインプリメントされ得る。
【００４３】
[0058]オプションのブロック３０２で、第１のセル（例えば、第１のｇＮＢ）は、第１のセルと第２のセル（例えば第２のｇＮＢ）との間のタイミング差を測定するよう、ＵＥに要求し得る。例えば、第１のセルは、ＵＥのためのサービングセルであり、第２のセルは、近隣セル（例えばハンドオーバのための潜在的なターゲットセル）であり得る。
【００４４】
[0059]ブロック３０４で、ＵＥは、第１のセルと第２のセルとの間のタイミング差を測定する。本明細書で議論されるように、測定は、第１のセルおよび第２のセルによって送信されるＮＲ−ＳＳに基づき得る。
【００４５】
[0060]ブロック３０６で、ＵＥは、第１のセルにタイミング差を報告する。
【００４６】
[0061]ブロック３０８で、第１のセルは、タイミング差に基づいてＣＳＩ−ＲＳ構成を決定する。
【００４７】
[0062]ブロック３１０で、第１のセルは、ＵＥにＣＳＩ−ＲＳ構成を送る。
【００４８】
[0063]オプションのブロック３１２で、第１のセルは、第２のセルにＣＳＩ−ＲＳタイミング情報を送り得る。この情報は、例えば、２つのセルの間の直接通信を介して（例えば、ＬＥＴにおけるＸ２インターフェースのようなインターフェースを介して）、またはＭＭＥ、ゲートウェイ、等のような他の中間ネットワークノードを介して送られ得る。
【００４９】
[0064]ブロック３１４で、第２のセルは、ＣＳＩ−ＲＳを送信する。本明細書で議論されるように、ＣＳＩ−ＲＳの送信は、いくつかのケースでは、第１のセルから受信したＣＳＩ−ＲＳタイミング情報に少なくとも基づき得る。
【００５０】
[0065]ブロック３１６で、ＵＥは、第２のセルからＣＳＩ−ＲＳを復号するためにＣＳＩ−ＲＳ構成を使用する。例えば、ＵＥは、スクランブリングＩＤ、スクランブリングＩＤを生成するために使用されるシード、シードを生成するために使用されるシンボルインデックスに基づいて、どのシーケンスがＣＳＩ−ＲＳの送信において、第２のセルによって使用されるかを決定し得る。有利に、このステップで、ＵＥは、第２のセルのタイミングの代わりに第１のセル（例えば、サービングセル）のタイミングを使用し得る（それは、第２のセルのタイミングを取得するために第２のセルのＰＢＣＨを読み取ることを要求こともあり得る）。
【００５１】
[0066]図４は、本開示のいくつかの態様にしたがった、通信のための別の処理４００を図示する。処理４００は、例えば、少なくとも１つのＵＥ、少なくとも１つのｇＮＢ、少なくとも１つのアクセス端末、少なくとも１つのＴＲＰ、少なくとも１つの基地局、等のうちの１つまたは複数によってまとめて実行される。当然ながら、本開示の範囲内の様々な態様では、処理４００は、通信に関連する動作（例えば、ＲＳに関連する動作）をサポートすることが可能な任意の適切な装置によってインプリメントされ得る。
【００５２】
[0067]ブロック４０２で、第１のセル（例えば、第１のｇＮＢ）は、ＵＥに、第２のセル（例えば、第２のｇＮＢ）からＣＳＩ−ＲＳを受信するために第１のセルのタイミングを使用するよう指示するメッセージを、ＵＥに送る。
【００５３】
[0068]ブロック４０４で、第１のセルは、ＵＥにＣＳＩ−ＲＳ構成を送る。いくつかの態様では、ＣＳＩ−ＲＳ構成は、第２のセルのタイミングに基づき得る（例えば、第１のセルと第２のセルとの間のタイミング差に基づき得る）。
【００５４】
[0069]ブロック４０６において、ＵＥは、少なくとも１つのスクランブリングシーケンスを決定するためにＣＳＩ−ＲＳ構成を使用する。
【００５５】
[0070]ブロック４０８で、ＵＥは、第２のセルによって送信されたＣＳＩ−ＲＳを復号するために少なくとも１つのスクランブリングシーケンスを使用する。
【００５６】
[0071]図５は、本開示のいくつかの態様にしたがった、通信のための別の処理５００を図示する。処理５００は、例えば、少なくとも１つのＵＥ、少なくとも１つのｇＮＢ、少なくとも１つのアクセス端末、少なくとも１つのＴＲＰ、少なくとも１つの基地局、等のうちの１つまたは複数によってまとめて実行される。当然ながら、本開示の範囲内の様々な態様では、処理５００は、通信に関連する動作（例えば、ＲＳに関連する動作）をサポートすることが可能な任意の適切な装置によってインプリメントされ得る。
【００５７】
[0072]ブロック５０２で、第１のセル（例えば、第１のｇＮＢ）は、ＵＥに、第２のセル（例えば、第２のｇＮＢ）からＣＳＩ−ＲＳを受信するために第２のセルのタイミングを使用するよう指示するメッセージを、ＵＥに送る。
【００５８】
[0073]ブロック５０４で、第１のセルは、ＵＥにＣＳＩ−ＲＳ構成を送る。いくつかの態様では、ＣＳＩ−ＲＳ構成は、第２のセルのタイミングに基づき得る（例えば、構成は、第２のセルのためのタイミング情報を含み得る）。
【００５９】
[0074]ブロック５０６において、ＵＥは、少なくとも１つのスクランブリングシーケンスを決定するためにＣＳＩ−ＲＳ構成を使用する。
【００６０】
[0075]ブロック５０８で、ＵＥは、第２のセルによって送信されたＣＳＩ−ＲＳを復号するために少なくとも１つのスクランブリングシーケンスを使用する。
【００６１】
[0076]図６は、本開示のいくつかの態様にしたがった、通信のための別の処理６００を図示する。処理６００は、例えば、少なくとも１つのネットワークノード、少なくとも１つのｇＮＢ、少なくとも１つのＴＲＰ、少なくとも１つの基地局、等のうちの１つまたは複数によってまとめて実行され得る。当然ながら、本開示の範囲内の様々な態様では、処理６００は、通信に関連する動作（例えば、ＲＳに関連する動作）をサポートすることが可能な任意の適切な装置によってインプリメントされ得る。
【００６２】
[0077]ブロック６０２で、第１のノード（例えば、ネットワークノードまたは第１のｇＮＢ）は、第１のセルによるＣＳＩ−ＲＳの送信および第２のセルによるＣＳＩ−ＲＳの送信のためのスケジュールを決定する、ここで、スケジュールされた送信は、重複しない。
【００６３】
[0078]ブロック６０４で、第１のノードは、第２のセル（および、適用可能な場合、第１のセル）にスケジュールを送る。
【００６４】
[0079]ブロック６０６で、第１のセルは、スケジュールに基づいてそのＣＳＩ−ＲＳを送信する。
【００６５】
[0080]ブロック６０８で、第２のセルは、スケジュールに基づいてそのＣＳＩ−ＲＳを送信する。  
例示的なビームフォームされた動作
【００６６】
[0081]本明細書の教示は、ビームフォーミングを使用するネットワークにおいて使用され得る。例えば、ｇＮＢは、異なるビームフォーミング方向を介して第１のＵＥおよび第２のＵＥと通信し得る。すなわち、ｇＮＢは、第１の複数の指向性ビームのうちの任意の１つを介して通信し得、第１のＵＥ３０４は、第２の複数の指向性ビームのうちの任意の１つを介して通信し得、および第２のＵＥは、複数の指向性ビームのうちの任意の１つを介して通信し得る。したがって、ｇＮＢは、第１のビームフォーミング方向を介して第１のＵＥと通信し、第２のビームフォーミング方向を介して第２のＵＥと通信し得る。
【００６７】
[0082]ワイヤレス多入力多出力（ＭＩＭＯ）システムは、ビームフォーミングベースの信号送信を提供するために複数の送信アンテナを使用し得る。通常、異なるアンテナから送信されたビームフォーミングベースの信号は、結果として生じる信号の電力が受信機デバイス（例えば、ＵＥ）の方へと集中するように、位相（およびオプションとして振幅）において調整される。
【００６８】
[0083]ワイヤレスＭＩＭＯシステムは、一度に単一ユーザのための、または同時に何人かのユーザのための通信をサポートし得る。単一ユーザへの送信（例えば、単一受信機デバイス）は一般に、シングルユーザＭＩＭＯ（ＳＵ−ＭＩＭＯ）と呼ばれ、一方、複数のユーザのための同時送信は一般に、マルチユーザＭＩＭＯ（ＭＵ−ＭＩＭＯ）と呼ばれる。
【００６９】
[0084]ＭＩＭＯシステムのｇＮＢは、データ送受信のために複数のアンテナを用いる、一方、各ユーザは、１つまたは複数のアンテナを用いる。ｇＮＢは、順方向リンクチャネルと逆方向リンクチャネルとを介してＵＥと通信する。いくつかの態様では、ダウンリンク（ＤＬ）チャネルは、アクセスポイントの送信アンテナからＵＥの受信アンテナへの通信チャネルを指し、アップリンク（ＵＬ）チャネルは、ユーザの送信アンテナからアクセスポイントの受信アンテナへの通信チャネルを指す。ダウンリンクおよびアップリンクは、それぞれ順方向リンクおよび逆方向リンクと呼ばれ得る。
【００７０】
[0085]送信アンテナのセットから受信アンテナへの送信に対応するＭＩＭＯチャネルは、受信アンテナの方へと送信を導くためにプリコーディング（例えば、ビームフォーミング）が用いられるため、空間ストリームと呼ばれる。したがって、いくつかの態様では、各空間ストリームは、少なくとも１つの次元に対応する。したがって、ＭＩＭＯシステムは、これらの空間ストリームによって提供されるさらなる次元の使用を通じて、改善されたパフォーマンス（例えば、より高いスループットおよび／またはより高い信頼性）を提供する。  
第１の例の装置
【００７１】
[0086]図７は、本開示の１つまたは複数にしたがった、通信をするように構成された装置７００の例示のハードウェアインプリメンテーションのブロック図を図示する。装置７００は、ｇＮＢ、送受信ポイント（ＴＲＰ）、アクセスポイント、ＵＥ、または本明細書で教示されるように基準信号をサポートするデバイスのいくつかの他のタイプ内で具体化されるまたはインプリメントされることができる。様々なインプリメンテーションでは、装置７００は、基地局、アクセス端末、またはデバイスのいくつかの他のタイプ内で具体化されるまたはインプリメントされることができる。様々なインプリメンテーションでは、装置７００は、サーバ、ネットワークエンティティ、携帯電話、スマートフォン、タブレット、ポータブルコンピュータ、パーソナルコンピュータ、センサ、アラーム、ビークル、マシン、エンターテインメントデバイス、医療デバイス、または回路を有する任意の他の電子デバイス内で具体化されるまたはインプリメントされることができる。
【００７２】
[0087]装置７００は、通信インタフェース７０２（例えば、少なくとも１つのトランシーバ）、記憶媒体７０４、ユーザインタフェース７０６、メモリデバイス７０８、および処理回路７１０（例えば、少なくとも１つのプロセッサ）を含む。これらのコンポーネントは、図７において概して接続線によって表されるシグナリングバスまたは他の好適なコンポーネントを介して、互いに電気的通信状態に置かれる、および／または、互いに結合されることができる。シグナリングバスは、処理回路７１０の特定の用途および全体的な設計制約に応じて、相互接続バスおよびブリッジをいくつでも含み得る。シグナリングバスは、通信インタフェース７０２、記憶媒体７０４、ユーザインタフェース７０６、およびメモリデバイス７０８の各々が、処理回路７１０と電気的通信状態に置かれる、および／または、処理回路１０１０に結合されるように、様々な回路を共にリンクする。シグナリングバスはまた、タイミングソース、周辺機器、電圧レギュレータ、および電力管理回路のような、様々な他の回路（示されていない）もリンクさせ得るが、これらは当該技術で周知であるため、これ以上説明されることはない。
【００７３】
[0088]通信インタフェース７０２は、装置７００のワイヤレス通信を容易にするように適合され得る。例えば、通信インタフェース７０２は、ネットワーク内の１つまたは複数の通信デバイスに関して双方向に情報の通信を容易にするように適合される電気回路および／またはプログラミングを含み得る。したがって、いくつかのインプリメンテーションでは、通信インターフェース７０２は、ワイヤレス通信システム内でのワイヤレス通信のための１つまたは複数のアンテナ７１２に結合され得る。いくつかのインプリメンテーションでは、通信インターフェース７０２は、ワイヤベースの通信のために構成され得る。例えば、通信インターフェース７０２は、バスインターフェース、送／受信インターフェース、またはドライブを含むいくつかの信号インターフェースの他のタイプ、バッファ、あるいは信号を出力および／または取得する（例えば、集積回路内から信号を出力するまたは集積回路内で信号を受信する）ための他の電気回路であることができる。通信インターフェース７０２は、１つまたは複数のスタンドアロン受信機および／または送信機、および１つまたは複数のトランシーバで構成されることができる。例示された例では、通信インタフェース７０２は、送信機７１４および受信機７１６を含む。
【００７４】
[0089]メモリデバイス７０８は、１つまたは複数のメモリデバイスを表し得る。示されるように、メモリデバイス７０８は、装置７００によって使用される他の情報とともにセル情報７１８を維持し得る。いくつかのインプリメンテーションでは、メモリデバイス７０８および記憶媒体７０４は、共通のメモリコンポーネントとしてインプリメントされる。メモリデバイス７０８はまた、処理回路７１０または装置７００の何らかの他のコンポーネントによって操作されるデータを記憶するために使用され得る。
【００７５】
[0090]記憶媒体７０４は、プロセッサ実行可能コードまたは命令（例えば、ソフトウェア、ファームウェア）、電子データ、データベース、または他のデジタル情報のようなプログラミングを記憶するための、１つまたは複数のコンピュータ読み取り可能な、機械読み取り可能な、および／またはプロセッサ読み取り可能なデバイスを表し得る。記憶媒体７０４はまた、プログラミングを実行するときに処理回路７１０によって操作されるデータを記憶するために使用され得る。記憶媒体７０４は、ポータブルまたは固定記憶デバイス、光学記憶デバイス、および、プログラミングを記憶するか、含むか、または搬送することができる様々な他の媒体を含む、汎用または専用プロセッサによってアクセスされることができるいかなる利用可能な媒体でもあり得る。
【００７６】
[0091]限定ではなく例として、記憶媒体７０４は、磁気記憶デバイス（例えば、ハードディスク、フロッピー（登録商標）ディスク、磁気ストリップ）、光学ディスク（例えば、コンパクトディスク（ＣＤ）またはデジタル多目的ディスク（ＤＶＤ））、スマートカード、フラッシュメモリデバイス（例えば、カード、スティック、またはキードライブ）、ランダムアクセスメモリ（ＲＡＭ）、読み取り専用メモリ（ＲＯＭ）、プログラム可能なＲＯＭ（ＰＲＯＭ）、消去可能なＰＲＯＭ（ＥＰＲＯＭ）、電気的に消去可能なＰＲＯＭ（ＥＥＰＲＯＭ（登録商標））、レジスタ、リムーバブルディスク、およびコンピュータによってアクセスされ得るおよび読み出され得る命令および／またはソフトウェアを記憶するためのいかなる他の好適な媒体も含み得る。記憶媒体７０４は、製品（例えば、コンピュータプログラム製品）において具現化され得る。例として、コンピュータプログラム製品は、パッケージング材料におけるコンピュータ読み取り可能な媒体を含み得る。上記を考慮して、いくつかのインプリメンテーションでは、記憶媒体７０４は、非一時的な（例えば、有形の）記憶媒体であり得る。
【００７７】
[0092]記憶媒体７０４は、処理回路７１０が記憶媒体７０４から情報を読み出すおよび記憶媒体１００４に情報を書き込むことができるように、処理回路７１０に結合され得る。つまり、記憶媒体７０４は、少なくとも１つの記憶媒体が処理回路７１０に統合された例、および／または少なくとも１つの記憶媒体が処理回路７１０から分離された例（例えば、装置７００に常駐する、装置７００の外部にある、複数のエンティティにわたって分散される等）を含んで、記憶媒体７０４が処理回路７１０によって少なくともアクセス可能であるように、処理回路７１０に結合されることができる。
【００７８】
[0093]記憶媒体７０４によって記憶されるプログラミングは、処理回路７１０によって実行されると、処理回路７１０に、ここに説明される様々な機能および／または処理動作のうちの１つまたは複数を実施させる。例えば、記憶媒体７０４は、処理回路７１０の１つまたは複数のハードウェアブロックにおける動作を調節（regulating）するために、ならびに、それらのそれぞれの通信プロトコルを利用してワイヤレス通信のための通信インタフェース７０２を利用するように、構成された動作を含み得る。いくつかの態様では、記憶媒体７０４は、本明細書で説明される機能性を実行するコードを含む、コンピュータ実行可能コードを記憶する非一時的コンピュータ可読媒体を含み得る。
【００７９】
[0094]処理回路７１０は一般に、記憶媒体７０４上に記憶されたそのようなプログラミングの実行を含む処理のために適合される。ここで使用される場合、「コード」または「プログラミング」という用語は、ソフトウェア、ファームウェア、ミドルウェア、マイクロコード、ハードウェア記述言語、またはその他の呼称に関わらず、制限なく、命令、命令セット、データ、コード、コードセグメント、プログラムコード、プログラム、プログラミング、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、プロシージャ、関数（functions）等を含むように広く解釈されるべきである。
【００８０】
[0095]処理回路７１０は、データを取得する、処理するおよび／または送る、データアクセスおよびストレージを制御する、コマンドを発行する、および他の所望の動作を制御するように配列される。処理回路７１０は、少なくとも１つの例においては、適した媒体によって提供される所望のプログラミングをインプリメントするように構成される電気回路を含み得る。例えば、処理回路７１０は、１つまたは複数のプロセッサ、１つまたは複数のコントローラ、および／または実行可能なプログラミングを実行するように構成される他の構造としてインプリメントされ得る。処理回路７１０の例は、汎用プロセッサ、デジタルシグナルプロセッサ（ＤＳＰ）、特定用途向け集積回路（ＡＳＩＣ）、フィールドプログラマブルゲートアレイ（ＦＰＧＡ）、または他のプログラム可能な論理コンポーネント、ディスクリートゲートまたはトランジスタ論理、ディスクリートハードウェアコンポーネント、またはここに説明された機能を実施するように設計されたそれらの任意の組合せを含み得る。汎用プロセッサは、マイクロプロセッサ、ならびにいかなる従来のプロセッサ、コントローラ、マイクロコントローラ、またはステートマシンも含み得る。処理回路７１０はまた、計算コンポーネントの組合せ、例えば、ＤＳＰとマイクロプロセッサの組合せ、いくつかのマイクロプロセッサ、ＤＳＰコアと連結した１つまたは複数のマイクロプロセッサ、ＡＳＩＣおよびマイクロプロセッサ、またはその他の様々な構成（ａｎｙ  ｏｔｈｅｒ  ｎｕｍｂｅｒ  ｏｆ  ｖａｒｙｉｎｇ  ｃｏｎｆｉｇｕｒａｔｉｏｎｓ）としてもインプリメントされ得る。処理回路７１０のこれらの例は、例示のためのものであり、本開示の範囲内の他の好適な構成もまた考慮されている。
【００８１】
[0096]本開示の１つまたは複数の態様に従って、処理回路７１０は、ここに説明される装置の任意のものまたはすべてについての、特徴、処理、機能、動作および／またはルーチンの任意のものまたはすべてを実施するように適合され得る。例えば、処理回路７１０は、図１−６、および図８−１０に関連して説明されるステップ、関数、および／または処理のうちの任意のものを実行するように構成され得る。本明細書で使用される場合、処理回路７１０に関する「適合される」という用語は、処理回路７１０が、ここに説明される様々な特徴に従って、特定の処理、機能、動作および／またはルーチンを実施するように構成されること、そのために使用されること、インプリメントされること、および／またはプログラムされること、のうちの１つまたは複数を指し得る。
【００８２】
[0097]処理回路７１０は、図１−図６、および図８−図１０と共に説明される動作のうちの任意の１つを実行するための手段（例えば、実行するための構造）としての機能を果たす特定用途向け集積回路（ＡＳＩＣ）のような、専門プロセッサであり得る。処理回路７１０は、送信するための手段および／または受信するための手段の１つの例としての機能を果たし得る。様々なインプリメンテーションでは、処理回路７１０は、少なくとも、図２のサービングセル２０４のために上で説明される機能性を提供するおよび／または組み込み得る。
【００８３】
[0098]装置７００の少なくとも１つの例にしたがって、処理回路７１０は、タイミング差を決定するための１つまたは複数の回路／モジュール７２０、ＣＳＩ−ＲＳ構成を決定するための回路／モジュール７２２、送るための回路／モジュール７２４、ＣＳＩ−ＲＳのためのタイミングを決定するための回路／モジュール７２６、受信するための回路／モジュール７２８、または識別するための回路／モジュール７３０のうちの１つまたは複数を含み得る。様々なインプリメンテーションでは、タイミング差を決定するための回路／モジュール７２０、ＣＳＩ−ＲＳ構成を決定するための回路／モジュール７２２、送るための回路／モジュール７２４、ＣＳＩ−ＲＳのためのタイミングを決定するための回路／モジュール７２６、受信するための回路／モジュール７２８、または識別するための回路／モジュール７３０は、少なくとも図２のサービングセル２０４のために上で説明された機能性を提供するおよび／または組み込み得る。
【００８４】
[0099]上述したように、記憶媒体７０４によって記憶されたプログラミングは、処理回路７１０によって実行されると、処理回路７１０に、本明細書に説明される様々な機能および／または処理動作のうちの１つまたは複数を実施させる。例えば、プログラミングは、処理回路７１０に、様々な実装において図１−図６および図８−図１０に関して本明細書で説明される様々な機能、ステップ、および／または処理を行わせ得る。図７に示されるように、記憶媒体７０４は、タイミング差を決定するためのコード７４０、ＣＳＩ−ＲＳ構成を決定するためのコード７４２、送るためのコード７４４、ＣＳＩ−ＲＳのためのタイミングを決定するためのコード７４６、受信するためのコード７４８、または識別するためのコード７５０のうちの１つまたは複数を含み得る。様々なインプリメンテーションでは、タイミング差を決定するためのコード７４０、ＣＳＩ−ＲＳ構成を決定するためのコード７４２、送るためのコード７４４、ＣＳＩ−ＲＳのためのタイミングを決定するためのコード７４６、受信するためのコード７４８、または識別するためのコード７５０は、タイミング差を決定するための回路／モジュール７２０、ＣＳＩ−ＲＳ構成を決定するための回路／モジュール７２２、送るための回路／モジュール７２４、ＣＳＩ−ＲＳのためのタイミングを決定するための回路／モジュール７２６、受信するための回路／モジュール７２８、または識別するための回路／モジュール７３０のために本明細書で説明された機能性を提供するために実行されるまたはさもなければ使用され得る。  
第１の例の処理
【００８５】
[0100]図８は、本開示のいくつかの態様にしたがった、通信のための処理８００を図示する。処理８００は、ｇＮＢ、ＴＲＰ、基地局、ＵＥ，アクセス端末、または何らかの他の適切な装置に位置し得る、処理回路（例えば、図７の処理回路７１０）内で行われ得る。当然ながら、本開示の範囲内の様々な態様では、処理８００は、通信に関連する動作（例えば、サイドリンク動作）をサポートすることが可能な任意の適切な装置によってインプリメントされ得る。
【００８６】
[0101]オプションのブロック８０２で、装置（例えば、ｇＮＢ）は、ＣＳＩ−ＲＳ（例えば、近隣セル）を送信するセルと、ＵＥのためのサービングセルとの間のタイミング差を決定し得る。このケースでは、ブロック８０６でのＣＳＩ−ＲＳ構成の決定は、タイミング差に基づき得る。いくつかの態様では、タイミング差は、シンボルタイミング差であり得る。いくつかの態様では、タイミング差は、スロットタイミング差、ミニスロットタイミング差、システムフレーム数タイミング差、またはこれらの任意の組合せを含み得る。
【００８７】
[0102]いくつかの態様では、タイミング差の決定は、ＵＥからタイミング差のインジケーションを受信することを含み得る。いくつかの態様では、処理８００は、ＵＥにタイミング差を測定する要求を送ることをさらに含み得る。
【００８８】
[0103]いくつかの態様では、タイミング差の決定は、ＵＥからのタイミング差の第１のインジケーションと、少なくとも１つの他のＵＥからタイミング差の第２のインジケーションとを受信することと、タイミング差の第１のインジケーションおよび少なくとも１つのタイミング差の第２のインジケーションに基づいてタイミング差の推定値を生成することとを含み得る。
【００８９】
[0104]ブロック８０４で、装置は、ＣＳＩ−ＲＳのためにタイミングを提供するセルを識別する。例えば、装置は、ＵＥがＣＳＩ−ＲＳのタイミングを特定のセルのタイミングに準拠させ得る、インジケーションをＵＥに通知するために生成し得る。
【００９０】
[0105]いくつかのシナリオでは、識別されたセルは、ＵＥのためのサービングセルを含む（例えば、サービングセルであり得る）。ここで、いくつかのケースでは、ＣＳＩ−ＲＳは、サービングセルの近隣セルによって送信され得る。
【００９１】
[0106]いくつかのシナリオでは、識別されたセルは、ＵＥのためのサービングセルの近隣セルを含む（例えば、サービングセルであり得る）。ここで、いくつかのケースでは、ＣＳＩ−ＲＳは、近隣セルによって送信され得る。
【００９２】
[0107]オプションのブロック８０６で、装置は、ＣＳＩ−ＲＳのためのＣＳＩ−ＲＳ構成を決定し得る。いくつかの態様では、ＣＳＩ−ＲＳ構成は、ＣＳＩ−ＲＳのサブキャリア間隔のインジケーションを含み得る。いくつかの態様では、ＣＳＩ−ＲＳ構成は、ＣＳＩ−ＲＳを送信するセルとＵＥのためのサービングセルとの間のサブキャリア間隔を考慮するタイミング差のインジケーションを含み得る。
【００９３】
[0108]８０８で、装置は、ＵＥに識別されたセルのインジケーションを送る。装置がブロック８０６でＣＳＩ−ＲＳ構成を決定するケースでは、ＣＳＩ−ＲＳ構成は、識別されたセルのインジケーションを含み得る。このケースでは、ブロック８０８でＵＥにインジケーションの送信は、ＵＥにＣＳＩ−ＲＳ構成を送ることを含み得る（例えば、包含し得る）。
【００９４】
[0109]いくつかの態様では、本明細書の教示に従う処理は、上の動作および／または特徴の任意の組合せを含み得る。  
第２の例の処理
【００９５】
[0110]図９は、本開示のいくつかの態様にしたがった、通信のための処理９００を図示する。処理９００は、ｇＮＢ、ＴＲＰ、基地局、ＵＥ，アクセス端末、または何らかの他の適切な装置に位置し得る処理回路（例えば、図７の処理回路７１０）内で行われ得る。当然ながら、本開示の範囲内の様々な態様では、処理９００は、通信に関連する動作（例えば、サイドリンク動作）をサポートすることが可能な任意の適切な装置によってインプリメントされ得る。
【００９６】
[0111]オプションのブロック９０２で、装置（例えば、ｇＮＢ）は、ＵＥにタイミング差を測定する要求を送り得る。例えば、サービングセルは、サービスしているＵＥに、シンボルタイミング差を推定するよう指示し得る。
【００９７】
[0112]ブロック９０４で、装置は、第１のセル（例えば、サービングセル）と第２のセル（例えば、近隣セル）との間のタイミング差を決定する。例えば、装置は、ＵＥからタイミング差のインジケーションを受信し得る。
【００９８】
[0113]ブロック９０６で、装置は、タイミング差に基づいて、第２のセルのチャネル状態情報−基準信号（ＣＳＩ−ＲＳ）のためのＣＳＩ−ＲＳ構成を決定する。
【００９９】
[0114]ブロック９０８で、装置は、第１によってサービスされるＵＥにＣＳＩ−ＲＳ構成を送る。
【０１００】
[0115]いくつかの態様では、ＣＳＩ−ＲＳ構成は、第２のセルのＣＳＩ−ＲＳのためのタイミングが第１のセルのタイミングに基づくインジケーションを含み得る。いくつかの態様では、ＣＳＩ−ＲＳ構成は、第２のセルのＣＳＩ−ＲＳのためにタイミングが第２のセルのタイミングに基づくインジケーションを含み得る。いくつかの態様では、タイミング差は、シンボルタイミング差、スロットタイミング差、ミニスロットタイミング差、システムフレーム数タイミング差、またはこれらの任意の組合せを含み得る。いくつかの態様では、ＣＳＩ−ＲＳ構成は、タイミング差のインジケーションを含み得る。いくつかの態様では、ＣＳＩ−ＲＳ構成は、第１のセルと第２のセルとの間のサブキャリア間隔を考慮するタイミング差のインジケーションを含み得る。いくつかの態様では、ＣＳＩ−ＲＳ構成は、第２のセルのＣＳＩ−ＲＳに関連付けられたスクランブリング識別子を含み得る。いくつかの態様では、ＣＳＩ−ＲＳ構成は、第２のセルのＣＳＩ−ＲＳに関連付けられたスクランブリング識別子を取得するためのシードを含み得る。いくつかの態様では、ＣＳＩ−ＲＳ構成は、第２のセルのＣＳＩ−ＲＳがシンボルのセットにわたって１つのスクランブリングシーケンスまたは異なるスクランブリングシーケンスを使用するかどうかのインジケーションを含み得る。いくつかの態様では、ＣＳＩ−ＲＳ構成は、第２のセルのＣＳＩ−ＲＳに関連付けられたスクランブリング識別子を取得するためのシードを含み得る。いくつかの態様では、ＣＳＩ−ＲＳ構成は、第２のセルのＣＳＩ−ＲＳがシンボルのセットにわたって１つのスクランブリングシーケンスを使用するとのインジケーションを含み得る。いくつかの態様では、タイミング差の決定は、ＵＥからタイミング差のインジケーションを受信することを含み得る。いくつかの態様では、処理９００は、ＵＥにタイミング差を測定する要求を送ることをさらに含み得る。いくつかの態様では、タイミング差の決定は、ＵＥからのタイミング差の第１のインジケーションと、少なくとも１つの他のＵＥからタイミング差の第２のインジケーションとを受信することと、タイミング差の第１のインジケーションおよび少なくとも１つのタイミング差の第２のインジケーションに基づいてタイミング差の推定値を生成することとを含み得る。
【０１０１】
[0116]いくつかの態様では、本明細書の教示に従う処理は、上の動作および／または特徴の任意の組合せを含み得る。  
第３の例の処理
【０１０２】
[0117]図１０は、本開示のいくつかの態様にしたがった、通信のための処理１０００を図示する。処理１０００は、ｇＮＢ、ＴＲＰ、基地局、ネットワークノード、ＵＥ，アクセス端末、または何らかの他の適切な装置に位置し得る処理回路（例えば、図７の処理回路７１０）内で行われ得る。言うまでもなく、本開示の範囲内の様々な態様では、処理１０００は、通信関連の動作をサポートすることができる任意の適切な装置によってインプリメントされ得る。
【０１０３】
[0118]オプションのブロック１００２で、装置（例えば、ｇＮＢ、またはネットワークノード）は、ユーザ機器（ＵＥ）からタイミング差のインジケーションを受信し得る。例えば、第１のセルは、第２のセルによってサービスされるＵＥからインジケーションを受信し得る。
【０１０４】
[0119]ブロック１００４で、装置は、第１のセルのチャネル状態情報−基準信号（ＣＳＩ−ＲＳ）のためのタイミングを決定する。
【０１０５】
[0120]１００６で、装置は、第１のセルに決定されたタイミングのインジケーションを送る。
【０１０６】
[0121]オプションのブロック１００８で、装置は、第１のセルに他のタイミング情報を送り得る。
【０１０７】
[0122]いくつかの態様では、タイミングの決定は、第１のセルが第１のセルまたは第２のセルのタイミングに基づいてＣＳＩ−ＲＳを送信ことになるかどうかを決定することを含み得る。いくつかの態様では、インジケーションは、第１のセルがＣＳＩ−ＲＳを送信するときを示し得る。いくつかの態様では、インジケーションは、第１のセルによるＣＳＩ−ＲＳの送信と、少なくとも１つの他のセルによる少なくとも１つのＣＳＩ−ＲＳの送信との間の少なくとも１つのオフセットを含み得る。いくつかの態様では、インジケーションは、第１のセルが第２のセルのタイミングに基づいてＣＳＩ−ＲＳを送信することを示し得る。
【０１０８】
[0123]いくつかの態様では、処理１０００は、第１のセルによるＣＳＩ−ＲＳの送信のために使用されるべき第２のセルと、第１のセルとの間のタイミング差のインジケーションを第１のセルに送ることをさらに含み得る。いくつかの態様では、処理１０００は、第２のセルによってサービスされるユーザ機器（ＵＥ）からタイミング差のインジケーションを受信することをさらに含み得る。いくつかの態様では、処理１０００は、ＵＥにタイミング差を測定する要求を送ることをさらに含み得る。いくつかの態様では、タイミング差は、シンボルタイミング差、スロットタイミング差、ミニスロットタイミング差、システムフレーム数タイミング差、またはこれらの任意の組合せを含み得る。いくつかの態様では、処理１０００は、第１のセルによるＣＳＩ−ＲＳの送信がシンボルのセットにわたって１つのスクランブリングシーケンスを使用するとのインジケーションを第１のセルに送ることをさらに含み得る。いくつかの態様では、処理１０００は、第１のセルによるＣＳＩ−ＲＳの送信がシンボルのセットにわたって異なるスクランブリングシーケンスを使用するとのインジケーションを第１のセルに送ることをさらに含み得る。いくつかの態様では、処理１０００は、第２のセルの別のＣＳＩ−ＲＳのための他のタイミングを決定することと、第１のセルのＣＳＩ−ＲＳのためのタイミングが第２のセルの別ＣＳＩ−ＲＳのための他のタイミングと重複しないことを指定するインジケーションを生成することとをさらに含み得る。
【０１０９】
[0124]いくつかの態様では、本明細書の教示に従う処理は、上の動作および／または特徴の任意の組合せを含み得る。  
第２の例の装置
【０１１０】
[0125]図１１は、本開示の１つまたは複数にしたがった、通信をするように構成された装置１１００の例示のハードウェアインプリメンテーションのブロック図を図示する。装置１１００は、ＵＥ、ｇＮＢ、送受信ポイント（ＴＲＰ）、アクセスポイント、または本明細書で教示されるように（基準信号と共に）ワイヤレス通信をサポートするいくつかのデバイスの他のタイプ内で具体化されるまたはインプリメントされることができる。様々なインプリメンテーションでは、装置１１００は、アクセス端末、基地局、またはいくつかのデバイスのの他のタイプ内で具体化されるまたはインプリメントされることができる。様々なインプリメンテーションでは、装置１１００は、携帯電話、スマートフォン、タブレット、ポータブルコンピュータ、パーソナルコンピュータ、センサ、アラーム、ビークル、マシン、サーバ、ネットワークエンティティ、エンターテインメントデバイス、医療デバイス、または回路を有する任意の他の電子デバイス内で具体化されるまたはインプリメントされることができる。
【０１１１】
[0126]装置１１００は、通信インタフェース１１０２（例えば、少なくとも１つのトランシーバ）、記憶媒体１１０４、ユーザインタフェース１１０６、（例えば、セル情報１１１８を記憶する）メモリデバイス１１０８、および処理回路１１１０（例えば、少なくとも１つのプロセッサ）を含む。様々なインプリメンテーションでは、ユーザインターフェース１１０６は、キーパッド、ディスプレイ、スピーカ、マイクロフォン、タッチスクリーンディスプレイ、またはユーザからの入力を受信するまたはユーザに出力を送るためのいくつかの他の回路のうちの１つまたは複数を含み得る。通信インターフェース１１０２は、１つまたは複数のアンテナ１１１２に結合され得、送信機１１１４および受信機１１１６を含み得る。概して、図１１のコンポーネントは、図７の装置の対応するコンポーネントに類似し得る。
【０１１２】
[0127]本開示の１つまたは複数の態様に従って、処理回路１１１０は、本明細書に説明される装置の任意のものまたはすべてについての、特徴、処理、機能、動作および／またはルーチンの任意のものまたはすべてを実施するように適合され得る。例えば、処理回路１１１０は、図１−６、図１２、および図１３に関連して説明されるステップ、関数、および／または処理のうちの任意のものを実行するように構成され得る。本明細書で使用される場合、処理回路１１１０に関する「適合される」という用語は、処理回路１１１０が、本明細書に説明される様々な特徴に従って、特定の処理、機能、動作および／またはルーチンを実施するように構成されること、そのために使用されること、インプリメントされること、および／またはプログラムされること、のうちの１つまたは複数を指し得る。
【０１１３】
[0128]処理回路１１１０は、図１−６、図１２、および図１３と共に説明される動作のうちの任意の１つを実行するための手段（例えば、実行するための構造）としての機能を果たす特定用途向け集積回路（ＡＳＩＣ）のような、専門プロセッサであり得る。処理回路１１１０は、送信するための手段および／または受信するための手段の１つの例としての機能を果たし得る。様々なインプリメンテーションでは、処理回路１１１０は、少なくとも、図２の第１のデバイス２０２のために上で説明される機能性を提供するおよび／または組み込み得る。
【０１１４】
[0129]装置１１００の少なくとも１つの例にしたがって、処理回路１１１０は、タイミング差を決定するための１つまたは複数の回路／モジュール１１２０、送るための回路／モジュール１１２２、受信するための回路／モジュール１１２４、復号するための回路／モジュール１１２６、テストするための回路／モジュール１１２８、実施するための回路／モジュール１１３０、またはセルのタイミングを決定するための回路／モジュール１１３２のうちの１つまたは複数を含み得る。様々なインプリメンテーションでは、タイミング差を決定するための１つまたは複数の回路／モジュール１１２０、送るための回路／モジュール１１２２、受信するための回路／モジュール１１２４、復号するための回路／モジュール１１２６、テストするための回路／モジュール１１２８、実施するための回路／モジュール１１３０、またはセルのタイミングを決定するための回路／モジュール１１３２は、少なくとも、図２の第１のデバイス２０２のために上で説明された機能性を提供するおよび／または組み込み得る。
【０１１５】
[0130]上述したように、記憶媒体１１０４によって記憶されたプログラミングは、処理回路１１１０によって実行されると、処理回路１１１０に、本明細書に説明される様々な機能および／または処理動作のうちの１つまたは複数を実施させる。例えば、プログラミングは、処理回路１１１０に、様々な実装において図１−図６、図１２、および図１３に関して本明細書で説明される様々な機能、ステップ、および／または処理を行わせ得る。図１１に示されるように、記憶媒体１１０４は、タイミング差を決定するためのコード１１４０、送るためのコード１１４２、受信するためのコード１１４４、復号するためのコード１１４６、テストするためのコード１１４８、実施するためのコード１１５０、またはセルのタイミングを決定するためのコード１１５２のうちの１つまたは複数を含み得る。様々なインプリメンテーションでは、タイミング差を決定するためのコード１１４０、送るためのコード１１４２、受信するためのコード１１４４、復号するためのコード１１４６、テストするためのコード１１４８、実施するためのコード１１５０、またはセルのタイミングを決定するためのコード１１５２は、タイミング差を決定するための１つまたは複数の回路／モジュール１１２０、送るための回路／モジュール１１２２、受信するための回路／モジュール１１２４、復号するための回路／モジュール１１２６、テストするための回路／モジュール１１２８、実施するための回路／モジュール１１３０、またはセルのタイミングを決定するための回路／モジュール１１３２のために本明細書で説明された機能性を提供するために実行されるまたはさもなければ使用され得る。  
第４の例の処理
【０１１６】
[0131]図１２は、本開示のいくつかの態様にしたがった、通信のための処理１２００を図示する。処理１２００は、ＵＥ、アクセス端末、ｇＮＢ、ＴＲＰ、基地局、ＵＥ，アクセス端末、または何らかの他の適切な装置に位置し得る、処理回路（例えば、図１１の処理回路１１１０）内で行われ得る。言うまでもなく、本開示の範囲内の様々な態様では、処理１２００は、通信関連の動作をサポートすることができる任意の適切な装置によってインプリメントされ得る。
【０１１７】
[0132]ブロック１２０２で、装置（例えば、ＵＥ）は、ユーザ機器（ＵＥ）でチャネル状態情報基準信号（ＣＳＩ−ＲＳ）を受信するためのタイミングを提供するセルのインジケーションを受信する。
【０１１８】
[0133]いくつかのシナリオでは、示されたセルは、ＵＥのためのサービングセルを含む（例えば、サービングセルであり得る）。ここで、いくつかのケースでは、ＣＳＩ−ＲＳは、サービングセルの近隣セルによって送信され得る。
【０１１９】
[0134]いくつかのシナリオでは、示されたセルは、ＵＥのためのサービングセルの近隣セルを含む（例えば、サービングセルであり得る）。ここで、いくつかのケースでは、ＣＳＩ−ＲＳは、近隣セルによって送信され得る。
【０１２０】
[0135]オプションのブロック１２０４で、装置は、示されたセルのタイミングを決定し得る。このケースでは、ブロック１２０６で、ＣＳＩ−ＲＳの受信は、決定されたタイミングに基づき得る。
【０１２１】
[0136]ブロック１２０６で、装置は、ＣＳＩ−ＲＳを受信する。タイミングを提供するセルは、ＣＳＩ−ＲＳを送信するセルまたはいくつかの他のセルであり得る。したがって、いくつかのケースでは、装置は、示されたセルからＣＳＩ−ＲＳを受信する一方、他のケースでは、装置は、別のセルからＣＳＩ−ＲＳを受信する。いくつかのシナリオでは、インジケーションの受信は、インジケーションを含むＣＳＩ−ＲＳのためのＣＳＩ−ＲＳ構成を受信することを包含し得る。いくつかの態様では、ＣＳＩ−ＲＳ構成は、ＣＳＩ−ＲＳのサブキャリア間隔のインジケーションを含み得る。いくつかの態様では、ＣＳＩ−ＲＳ構成は、ＣＳＩ−ＲＳを送信するセルとＵＥのためのサービングセルとの間のサブキャリア間隔を考慮するタイミング差のインジケーションを含み得る。
【０１２２】
[0137]オプションのブロック１２０８で、装置は、ＣＳＩ−ＲＳ構成に基づいてＣＳＩ−ＲＳを復号し得る。いくつかの態様では、復号することは、ＣＳＩ−ＲＳ構成に基づいてスクランブリングシーケンスを決定することと、スクランブリングシーケンスに基づいてＣＳＩ−ＲＳを復号することとを含み得る。
【０１２３】
[0138]いくつかの態様では、ＣＳＩ−ＲＳ構成は、ＵＥのためのサービングセルと、示されたセルとの間のタイミング差に基づき得る。いくつかの態様では、処理１２００は、タイミング差を決定することと、サービングセルにタイミング差のインジケーションを送ることとをさらに含み得る。
【０１２４】
[0139]いくつかの態様では、処理１２００は、ＣＳＩ−ＲＳに基づいて示されたセルに関連付けられたモビリティ動作を実施することをさらに含み得る。
【０１２５】
[0140]いくつかの態様では、本明細書の教示に従う処理は、上の動作および／または特徴の任意の組合せを含み得る。  
第５の例の処理
【０１２６】
[0141]図１３は、本開示のいくつかの態様にしたがった、通信のための処理１３００を図示する。処理１３００は、ＵＥ、アクセス端末、ｇＮＢ、ＴＲＰ、基地局、ＵＥ，アクセス端末、または何らかの他の適切な装置に位置し得る、処理回路（例えば、図１１の処理回路１１１０）内で行われ得る。言うまでもなく、本開示の範囲内の様々な態様では、処理１３００は、通信関連の動作をサポートすることができる任意の適切な装置によってインプリメントされ得る。
【０１２７】
[0142]ブロック１３０２で、装置（例えば、ＵＥ）は、第１のセルと第２のセルとの間のタイミング差を決定する。例えば、ＵＥは、第１のセルから受信したＮＲ−ＳＳと、第２のセルから受信したＮＲ−ＳＳとに基づいてシンボルタイミング差を決定し得る。
【０１２８】
[0143]１３０４で、装置は、第１のセルにタイミング差のインジケーションを送る。
【０１２９】
[0144]ブロック１３０６で、装置は、第１のセルから、タイミング差に基づくチャネル状態情報−基準信号（ＣＳＩ−ＲＳ）構成を受信する。
【０１３０】
[0145]ブロック１３０８で、装置は、ＣＳＩ−ＲＳ構成に基づいて第２のセルのＣＳＩ−ＲＳを復号する。いくつかの態様では、復号することは、ＣＳＩ−ＲＳ構成に基づいてスクランブリングシーケンスを決定することと、スクランブリングシーケンスに基づいて第２のセルのＣＳＩ−ＲＳを復号することとを含み得る。
【０１３１】
[0146]いくつかの態様では、ＣＳＩ−ＲＳ構成は、第２のセルのＣＳＩ−ＲＳのためのタイミングが第１のセルのタイミングに基づくインジケーションを含み得る。いくつかの態様では、ＣＳＩ−ＲＳ構成は、第２のセルのＣＳＩ−ＲＳのためにタイミングが第２のセルのタイミングに基づくインジケーションを含み得る。いくつかの態様では、タイミング差は、シンボルタイミング差、スロットタイミング差、ミニスロットタイミング差、システムフレーム数タイミング差、またはこれらの任意の組合せを含み得る。いくつかの態様では、ＣＳＩ−ＲＳ構成は、タイミング差のインジケーションを含み得る。いくつかの態様では、ＣＳＩ−ＲＳ構成は、タイミング差に基づくタイミング情報を含み得る。いくつかの態様では、ＣＳＩ−ＲＳ構成は、第２のセルのＣＳＩ−ＲＳに関連付けられたスクランブリング識別子を含み得る。いくつかの態様では、ＣＳＩ−ＲＳ構成は、第２のセルのＣＳＩ−ＲＳに関連付けられたスクランブリング識別子を取得するためのシードを含み得る。いくつかの態様では、ＣＳＩ−ＲＳ構成は、第２のセルのＣＳＩ−ＲＳがシンボルのセットにわたって１つのスクランブリングシーケンスを使用するとのインジケーションを含み得る。いくつかの態様では、ＣＳＩ−ＲＳ構成は、第２のセルのＣＳＩ−ＲＳがシンボルのセットにわたって異なるスクランブリングシーケンスを使用するとのインジケーションを含み得る。
【０１３２】
[0147]いくつかの態様では、処理１３００は、ＣＳＩ−ＲＳ構成のインジケーションを受信する結果として、シンボルのセットにわたって複数のシーケンス仮説をテストすることをさらに含み得る。
【０１３３】
[0148]いくつかの態様では、処理１３００は、第２のセルのＣＳＩ−ＲＳに基づいて第２のセルに関連付けられたモビリティ動作を実施することをさらに含み得る。
【０１３４】
[0149]いくつかの態様では、本明細書の教示に従う処理は、上の動作および／または特徴の任意の組合せを含み得る。  
第３の例の装置
【０１３５】
[0150]図１４は、本開示の１つまたは複数にしたがった、通信をするように構成された装置１４００の例示のハードウェアインプリメンテーションのブロック図を図示する。装置１４００は、ｇＮＢ、ＵＥ、送受信ポイント（ＴＲＰ）、アクセスポイント、または本明細書で教示されるように（基準信号と共に）ワイヤレス通信をサポートするいくつかのデバイスの他のタイプ内で具体化されるまたはインプリメントされることができる。様々なインプリメンテーションでは、装置１４００は、基地局、アクセス端末、またはいくつかのデバイスのの他のタイプ内で具体化されるまたはインプリメントされることができる。様々なインプリメンテーションでは、装置１４００は、サーバ、ネットワークエンティティ、携帯電話、スマートフォン、タブレット、ポータブルコンピュータ、パーソナルコンピュータ、センサ、アラーム、ビークル、マシン、エンターテインメントデバイス、医療デバイス、または回路を有する任意の他の電子デバイス内で具体化されるまたはインプリメントされることができる。
【０１３６】
[0151]装置１４００は、通信インタフェース１４０２（例えば、少なくとも１つのトランシーバ）、記憶媒体１４０４、ユーザインタフェース１４０６、（例えば、セル情報１４１８を記憶する）メモリデバイス１４０８、および処理回路１４１０（例えば、少なくとも１つのプロセッサ）を含む。様々なインプリメンテーションでは、ユーザインターフェース１４０６は、キーパッド、ディスプレイ、スピーカ、マイクロフォン、タッチスクリーンディスプレイ、またはユーザからの入力を受信するまたはユーザに出力を送るためのいくつかの他の回路のうちの１つまたは複数を含み得る。通信インターフェース１４０２は、１つまたは複数のアンテナ１４１２に結合され得、送信機１４１４および受信機１４１６を含み得る。概して、図１４のコンポーネントは、図７の装置の対応するコンポーネントに類似し得る。
【０１３７】
[0152]本開示の１つまたは複数の態様に従って、処理回路１４１０は、ここに説明される装置の任意のものまたはすべてについての、特徴、処理、機能、動作および／またはルーチンの任意のものまたはすべてを実施するように適合され得る。例えば、処理回路１４１０は、図１−６、および図１５に関連して説明されるステップ、関数、および／または処理のうちの任意のものを実行するように構成され得る。本明細書で使用される場合、処理回路１４１０に関する「適合される」という用語は、処理回路１４１０が、ここに説明される様々な特徴に従って、特定の処理、機能、動作および／またはルーチンを実施するように構成されること、そのために使用されること、インプリメントされること、および／またはプログラムされること、のうちの１つまたは複数を指し得る。
【０１３８】
[0153]処理回路１４１０は、図１−６、図１２、および図１５と共に説明される動作のうちの任意の１つを実行するための手段（例えば、実行するための構造）としての機能を果たす特定用途向け集積回路（ＡＳＩＣ）のような、専門プロセッサであり得る。処理回路１４１０は、送信するための手段および／または受信するための手段の１つの例としての機能を果たし得る。様々なインプリメンテーションでは、処理回路１４１０は、少なくとも、図２の近隣セル２０６のために上で説明される機能性を提供するおよび／または組み込み得る。
【０１３９】
[0154]装置１４００の少なくとも１つの例にしたがって、処理回路１４１０は、受信するための回路／モジュール１４２０、ＣＳＩ−ＲＳを生成するための回路／モジュール１４２２、または送信するための回路／モジュール１４２４のうちの１つまたは複数を含み得る。様々なインプリメンテーションでは、処理回路１４１０は、受信するための回路／モジュール１４２０、ＣＳＩ−ＲＳを生成するための回路／モジュール１４２２、または送信するための回路／モジュール１４２４は、少なくとも部分的に、図２の近隣セル２０６のために上で説明した機能性を提供するおよび／または組み込み得る。
【０１４０】
[0155]上述したように、記憶媒体１４０４によって記憶されたプログラミングは、処理回路１４１０によって実行されると、処理回路１４１０に、ここに説明される様々な機能および／または処理動作のうちの１つまたは複数を実施させる。例えば、プログラミングは、処理回路１４１０に、様々な実装において図１〜図６、および図１５に関して本明細書で説明される様々な機能、ステップ、および／または処理を行わせ得る。図１４に示されるように、記憶媒体１４０４は、受信するためのコード１４３０、ＣＳＩ−ＲＳを生成するためのコード１４３２、または送信するためのコード１４３４のうちの１つまたは複数を含み得る。様々なインプリメンテーションでは、受信するためのコード１４３０、ＣＳＩ−ＲＳを生成するためのコード１４３２、送信するためのコード１４３４は、受信するための回路／モジュール１４２０、ＣＳＩ−ＲＳを生成するための回路／モジュール１４２２、または送信するための回路／モジュール１４２４について本明細書で説明される機能性を提供するために実行されるか、またはそうでなければ使用され得る。  
第６の例の処理
【０１４１】
[0156]図１５は、本開示のいくつかの態様にしたがった、通信のための処理１５００を図示する。処理１５００は、ＵＥ、アクセス端末、ｇＮＢ、ＴＲＰ、基地局、ＵＥ，アクセス端末、または何らかの他の適切な装置に位置し得る、処理回路（例えば、図１４の処理回路１４１０）内で行われ得る。言うまでもなく、本開示の範囲内の様々な態様では、処理１５００は、通信関連の動作をサポートすることができる任意の適切な装置によってインプリメントされ得る。
【０１４２】
[0157]ブロック１５０２で、装置（例えば、ｇＮＧ）は、第１のセルによって送信されるべきチャネル状態情報−基準信号（ＣＳＩ−ＲＳ）のためのタイミングのインジケーションを受信する。
【０１４３】
[0158]ブロック１５０４で、装置は、スクランブリングシーケンスインジケーションを受信し得る。
【０１４４】
[0159]ブロック１５０６で、装置は、ＣＳＩ−ＲＳを生成する。
【０１４５】
[0160]ブロック１５０８で、装置は、受信したタイミングのインジケーションに基づいて、一度に、送信ためのＣＳＩ−ＲＳを出力する。
【０１４６】
[0161]いくつかの態様では、インジケーションは、第１のセルがＣＳＩ−ＲＳを送信するときを示し得る。いくつかの態様では、インジケーションは、第１のセルによるＣＳＩ−ＲＳの送信と、少なくとも１つの他のセルによる少なくとも１つのＣＳＩ−ＲＳの送信との間の少なくとも１つのオフセットを含み得る。いくつかの態様では、インジケーションは、第１のセルが第１のセルのタイミングに基づいてＣＳＩ−ＲＳを送信することを示し得る。いくつかの態様では、インジケーションは、第１のセルが第２のセルのタイミングに基づいてＣＳＩ−ＲＳを送信することを示し得る。いくつかの態様では、インジケーションは、第１のセルによるＣＳＩ−ＲＳの送信のために使用されるべき第２のセルと、第１のセルとの間のタイミング差を示し得る。いくつかの態様では、タイミング差は、シンボルタイミング差、スロットタイミング差、ミニスロットタイミング差、システムフレーム数タイミング差、またはこれらの任意の組合せを含み得る。いくつかの態様では、処理１５００は、第１のセルによるＣＳＩ−ＲＳの送信がシンボルのセットにわたって１つのスクランブリングシーケンスを使用することになる別のインジケーションを受信することをさらに含み得、第１のセルによるＣＳＩ−ＲＳの送信は、別のインジケーションを受信する結果として、シンボルのセットにわたって１つのスクランブリングシーケンスを使用する。いくつかの態様では、処理１５００は、第１のセルによるＣＳＩ−ＲＳの送信がシンボルのセットにわたって異なるスクランブリングシーケンスを使用することになる別のインジケーションを受信することをさらに含み得、第１のセルによるＣＳＩ−ＲＳの送信は、別のインジケーションを受信する結果として、シンボルのセットにわたって異なるスクランブリングシーケンスを使用する。
【０１４７】
[0162]いくつかの態様では、本明細書の教示に従う処理は、上の動作および／または特徴の任意の組合せを含み得る。  
さらなる態様（Additional Aspects）
【０１４８】
[0163]いくつかの態様では、本開示は、第１のセルと第２のセルとの間のタイミング差を決定することと、タイミング差に基づいて、第２のセルのチャネル状態情報−基準信号（ＣＳＩ−ＲＳ）のためのＣＳＩ−ＲＳ構成を決定することと、第１のセルによってサービスされるユーザ機器（ＵＥ）にＣＳＩ−ＲＳ構成を送ることとを含む通信の方法を提供する。
【０１４９】
[0164]いくつかの態様では、本開示は、メモリデバイスと、メモリに結合された処理回路とを含む、通信のための装置を提供する。処理回路は、第１のセルと第２のセルとの間のタイミング差を決定することと、タイミング差に基づいて、第２のセルのチャネル状態情報−基準信号（ＣＳＩ−ＲＳ）のためのＣＳＩ−ＲＳ構成を決定することと、第１のセルによってサービスされるユーザ機器（ＵＥ）にＣＳＩ−ＲＳ構成を送ることとを行うように構成される。
【０１５０】
[0165]いくつかの態様では、本開示は、通信のために構成された装置を提供する。装置は、第１のセルと第２のセルとの間のタイミング差を決定するための手段と、タイミング差に基づいて、第２のセルのチャネル状態情報−基準信号（ＣＳＩ−ＲＳ）のためのＣＳＩ−ＲＳ構成を決定するための手段と、第１のセルによってサービスされるユーザ機器（ＵＥ）にＣＳＩ−ＲＳ構成を送るための手段とを含むこと。
【０１５１】
[0166]いくつかの態様では、本開示は、第１のセルと、第２のセルとの間のタイミング差を決定することと、タイミング差に基づいて、第２のセルのチャネル状態情報−基準信号（ＣＳＩ−ＲＳ）のためのＣＳＩ−ＲＳ構成を決定することと、第１のセルによってサービスされるユーザ機器（ＵＥ）にＣＳＩ−ＲＳ構成を送ることとを行うコードを含むコンピュータ実行可能コードを記憶する非一時的コンピュータ可読媒体を提供する。
【０１５２】
[0167]いくつかの態様では、本開示は、第１のセルと第２のセルとの間のタイミング差を決定することと、第１のセルにタイミング差のインジケーションを送ることと、第１のセルから、タイミング差に基づく、チャネル状態情報−基準信号（ＣＳＩ−ＲＳ）構成を受信することと、ＣＳＩ−ＲＳ構成に基づいて第２のセルのＣＳＩ−ＲＳを復号することとを含む通信の方法を提供する。
【０１５３】
[0168]いくつかの態様では、本開示は、メモリデバイスと、メモリに結合された処理回路とを含む、通信のための装置を提供する。処理回路は、第１のセルと第２のセルとの間のタイミング差を決定することと、第１のセルにタイミング差のインジケーションを送ることと、第１のセルから、タイミング差に基づく、チャネル状態情報−基準信号（ＣＳＩ−ＲＳ）構成を受信することと、ＣＳＩ−ＲＳ構成に基づいて第２のセルのＣＳＩ−ＲＳを復号することとを行うように構成される。
【０１５４】
[0169]いくつかの態様では、本開示は、通信のために構成された装置を提供する。装置は、第１のセルと第２のセルとの間のタイミング差を決定するための手段と、第１のセルにタイミング差のインジケーションを送るための手段と、第１のセルから、タイミング差に基づく、チャネル状態情報−基準信号（ＣＳＩ−ＲＳ）構成を受信するための手段と、ＣＳＩ−ＲＳ構成に基づいて第２のセルのＣＳＩ−ＲＳを復号するための手段とを含むこと。
【０１５５】
[0170]いくつかの態様では、本開示は、第１のセルと第２のセルとの間のタイミング差を決定することと、第１のセルにタイミング差のインジケーションを送ることと、第１のセルから、タイミング差に基づく、チャネル状態情報−基準信号（ＣＳＩ−ＲＳ）構成を受信することと、ＣＳＩ−ＲＳ構成に基づいて第２のセルのＣＳＩ−ＲＳを復号することとを行うコードを含むコンピュータ実行可能コードを記憶する非一時コンピュータ可読媒体を提供する。
【０１５６】
[0171]いくつかの態様では、本開示は、第１のセルのチャネル状態情報−基準信号（ＣＳＩ−ＲＳ）のためのタイミングを決定することと、第１のセルに決定されたタイミングのインジケーションを送ることとを含む通信の方法を提供する。
【０１５７】
[0172]いくつかの態様では、本開示は、メモリデバイスと、メモリに結合された処理回路とを含む、通信のための装置を提供する。処理回路は、第１のセルのチャネル状態情報−基準信号（ＣＳＩ−ＲＳ）のためのタイミングを決定することと、第１のセルに決定されたタイミングのインジケーションを送ることとを行うように構成される。
【０１５８】
[0173]いくつかの態様では、本開示は、通信のために構成された装置を提供する。装置は、第１のセルのチャネル状態情報−基準信号（ＣＳＩ−ＲＳ）のためのタイミングを決定するための手段と、第１のセルに決定されたタイミングのインジケーションを送るための手段とを含むこと。
【０１５９】
[0174]いくつかの態様では、本開示は、第１のセルのチャネル状態情報−基準信号（ＣＳＩ−ＲＳ）のためのタイミングを決定することと、第１のセルに決定されたタイミングのインジケーションを送ることとを行うコードを含むコンピュータ実行可能コードを記憶する非一時コンピュータ可読媒体を提供する。
【０１６０】
[0175]いくつかの態様では、本開示は、第１のセルによって送信されるチャネル状態情報−基準信号（ＣＳＩ−ＲＳ）のためのタイミングのインジケーションを受信することと、受信したタイミングのインジケーションに基づいて、一度に、送信のためのＣＳＩ−ＲＳを出力することとを含む通信の方法を提供する。
【０１６１】
[0176]いくつかの態様では、本開示は、メモリデバイスと、メモリに結合された処理回路とを含む、通信のための装置を提供する。処理回路は、第１のセルによって送信されるチャネル状態情報−基準信号（ＣＳＩ−ＲＳ）のためのタイミングのインジケーションを受信することと、受信したタイミングのインジケーションに基づいて、一度に、送信のためのＣＳＩ−ＲＳを出力することとを行うように構成される。
【０１６２】
[0177]いくつかの態様では、本開示は、通信のために構成された装置を提供する。装置は、第１のセルによって送信されるチャネル状態情報−基準信号（ＣＳＩ−ＲＳ）のためのタイミングのインジケーションを受信するための手段と、受信したタイミングのインジケーションに基づいて、一度に、送信のためのＣＳＩ−ＲＳを出力するための手段とを含むこと。
【０１６３】
[0178]いくつかの態様では、本開示は、第１のセルによって送信されるチャネル状態情報−基準信号（ＣＳＩ−ＲＳ）のためのタイミングのインジケーションを受信することと、受信したタイミングのインジケーションに基づいて、一度に、送信のためのＣＳＩ−ＲＳを出力することとを行うコードを含むコンピュータ実行可能コードを記憶する非一時コンピュータ可読媒体を提供する。  
他の態様
【０１６４】
[0179]本明細書に記載される例は、本開示の特定の概念を例示するために提供されている。当業者は、これらが実際には単に例であり、他の例が本開示の範囲および添付の請求項内に含まれることを理解するだろう。
【０１６５】
[0180]当業者は、本開示を通して説明された様々な態様が任意の適切な電気通信システム、ネットワークアーキテクチャ、および通信規格にまで拡大され得ることを、容易に理解するだろう。例の目的で、様々な態様は、まだ定義されていないワイドエリアネットワーク基準によって説明されるそれらを含む、３ＧＰＰ  ５Ｇシステムおよび／または他の適切なシステムに適用され得る。様々な態様はまた、（ＦＤＤ、ＴＤＤ、または両方のモードでの）ＬＴＥ、（ＦＤＤ、ＴＤＤ、または両方のモードでの）ＬＴＥ−アドバンスト（ＬＴＥ−Ａ）、ユニバーサルモバイルテレコミュニケーションズシステム（ＵＭＴＳ）、グローバルシステムフォーモバイルコミュニケーション（ＧＳＭ（登録商標））、符号分割多元接続（ＣＤＭＡ）、ＣＤＭＡ２０００、エボリューションデータオプティマイズド（ＥＶ−ＤＯ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、ウルトラワイドバンド（ＵＷＢ）、Ｂｌｕｅｔｏｏｔｈ（登録商標）、および／または他の適したシステムを採用するシステムに適用され得る。様々な態様はまた、Ｗ−ＣＤＭＡ（登録商標）、ＴＤ−ＳＣＤＭＡ、およびＴＤ−ＣＤＭＡのようなＵＭＴＳに適用され得る。使用される実際の電気通信規格、ネットワークアーキテクチャ、および／または通信規格は、システムに課せられた全体的な設計制約および特定の用途に依存するであろう。
【０１６６】
[0181]多くの態様が、例えば、コンピューティングデバイスの要素によって行われるべき一連のアクションの観点から説明される。本明細書で説明される様々な態様が、例えば、中央処理ユニット（ＣＰＵ）、グラフィック処理ユニット（ＧＰＵ）、デジタルシグナルプロセッサ（ＤＳＰ）、特定用途向け集積回路（ＡＳＩＣ）、フィールドプログラマブルゲートアレイ（ＦＰＧＡ）、あるいは、汎用または専用プロセッサまたは回路の様々な他のタイプなどの、特定の回路によって、１つまたは複数のプロセッサによって実行されるプログラム命令によって、またはその両方の組み合せによって、行われ得ることが理解されるべきである。さらに、ここに説明されるこれらの一連のアクションは、実行されると関連するプロセッサにここに説明された機能性を実施させるコンピュータ命令の対応するセットを記憶した、任意の形態のコンピュータ読み取り可能な記憶媒体内に、全体が具現化されると考えられることができる。したがって、本開示の様々な態様は、いくつかの異なる形態で具現化され得、それらのすべては、特許請求された主題の範囲内にあるものとして考慮されている。加えて、本明細書で説明される態様の各々に関して、任意のそのような態様のうちの対応する形態は、例えば、説明されるアクションを行う「ように構成される論理」として本明細書で説明され得る。
【０１６７】
[0182]当業者は、情報および信号は、多様な異なる技術および技法のいずれを使用しても表され得ることを認識することになる。例えば、上記の説明全体を通じて参照されうるデータ、命令、コマンド、情報、信号、ビット、シンボル、およびチップは、電圧、電流、電磁波、磁場または磁性粒子、光場または光粒子、あるいはそれらの任意の組み合わせによって表され得る。
【０１６８】
[0183]さらに、当業者であれば、本明細書に開示された態様に関連して説明された実例となる様々な論理ブロック、モジュール、回路、およびアルゴリズムステップが、電子ハードウェア、コンピュータソフトウェア、または両者の組合せとしてインプリメントされ得ることを認識するであろう。ハードウェアとソフトウェアとのこの互換性を明確に例示するために、様々な例示的なコンポーネント、ブロック、モジュール、回路、およびステップが、それらの機能の観点から概して上で説明されてきた。このような機能性がハードウェアとして実施されるかソフトウェアとして実施されるかは、特定のアプリケーション及びシステム全体に課せられる設計制約に依存する。当業者は、説明した機能を特定のアプリケーションごとに様々な方法で実装し得るが、そのような実装の決定は、本開示の範囲からの逸脱を生じるものと解釈すべきではない。
【０１６９】
[0184]上記に例示されるコンポーネント、ステップ、特徴および／または機能のうちの１つまたは複数は、単一のコンポーネント、ステップ、特徴または機能に再構成および／または組み合わされ、あるいはいくつかのコンポーネント、ステップ、または機能において具現化され得る。追加的な要素、コンポーネント、ステップ、および／または機能もまた、ここに開示された新規の特徴から逸脱することなく、追加され得る。上記に説明される装置、デバイス、および／またはコンポーネントは、本明細書で説明される方法、特徴、または、ステップのうちの１つまたは複数を行うように構成され得る。本明細書で説明される新規のアルゴリズムはまた、効率的にソフトウェアで実装され、および／またはハードウェアに組み込まれ得る。
【０１７０】
[0185]開示された方法におけるステップの特定の順序または階層は、例となる処理の例示であることが理解されるべきである。設計選好に基づいて、方法におけるステップの固有の順序または階層は、再配列され得ることは理解される。添付の方法の請求項は、本明細書に特に記載されない限り、サンプルの順序において、様々なステップの要素を提示し、提示された特定の順序または階層に限定されることが意図されるものではない。
【０１７１】
[0186]本明細書で開示された態様に関係して説明された方法、シーケンス、またはアルゴリズムは、直接的にハードウェアにおいて、プロセッサによって実行されるソフトウェアモジュールにおいて、またはそれら２つの組合せにおいて、具現化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当該技術で周知の任意の他の形態の記憶媒体内に存在し得る。記憶媒体、の例は、プロセッサが記憶媒体から情報を読み取り記憶媒体に情報を書き込むことができるように、プロセッサに接続される。代替として、記憶媒体は、プロセッサに一体化され得る。
【０１７２】
[0187]「実例的な」という用語は、本明細書では、「例、事例、または例示としての役割を果たす」という意味で使用されている。「実例的な」ものとして、本明細書で説明されている任意の態様は、必ずしも他の態様に対して好ましいまたは有利なものとして解釈されるべきではない。
【０１７３】
[0188]同様に、「態様」という用語は、全ての実施形態が、説明された特徴、利点、またはオペレーションのモードを含むことを必要としない。本明細書での教示に基づいて、当業者は、本明細書に開示された態様が、任意の他の態様とは独立して施行され得ること、および、これら態様のうちの２つ以上が、様々な方法で組み合わされ得ることを理解すべきである。例えば、本明細書に記載されるいずれの数の態様を使用しても、装置が実装され得、または方法が実施され得る。さらに、他の構造、機能、あるいは、本明細書に説明される態様のうちの１つまたは複数に加えてまたはそれ以外の構造および機能性を使用して、そのような装置が実装され得るか、あるいは、そのような方法が実現され得る。さらに、一態様は、一請求項の少なくとも１つエレメントを備え得る。
【０１７４】
[0189]本明細書で使用される専門用語は、特定の態様を説明することのみを目的としたものであり、これら態様を限定することを意図したものではない。本明細書で使用される場合、単数形「ａ」、「ａｎ」、「ｔｈｅ」は、そうではないと文脈が明確に示さない限り、複数形も含むことを意図する。「備える」、「備えている」、「含む」、および／または「含んでいる」という用語は、本明細書で使用される場合、記載される特徴、整数、ステップ、動作、要素、および／またはコンポーネントの存在を特定するが、１つまたは複数の他の特徴、整数、ステップ、動作、要素、コンポーネント、および／またはそれらのグループの存在または追加を排除しないことが、さらに理解されるだろう。さらに、用語「または（or）」がブール演算子「ＯＲ」と同じ意味を有しており、すなわち、それは「いずれか（either）」および「両方（both）」である可能性を含んでおり、かつそうではないと明記されない限り「排他的なまたは（exclusive or）」（「ＸＯＲ」）に限定されないことを理解されたい。２つの隣り合う用語間の記号「／」が、そうではないと明記されない限り、「または（or）」と同じ意味を有することもまた理解されたい。さらに、「〜に接続された」、「〜に結合された」、「〜と通信中である」などのフレーズは、そうではないと明記されない限り、直接接続に限定されない。
【０１７５】
[0190]「第１の」、「第２の」等のような指定を使用した本明細書における要素へのいずれの言及も、一般にそれらの要素の数量または順序を限定しない。むしろ、これらの指定は、２つ以上の要素または要素の事例の間で区別する便利な方法として本明細書で使用され得る。よって、第１の要素および第２の要素への参照は、そこで２つだけの要素しか使用できないことも、何らかの方法で第１の要素が第２の要素に先行しなければならないことも、意味していない。また、別段に記載されない限り、要素のセットは、１つまたは複数の要素を備え得る。加えて、明細書または請求項中で使用される「ａ、ｂ、またはｃのうちの少なくとも１つ」、あるいは「ａ、ｂ、ｃ、またはそれらの任意の組み合わせ」という形式の用語は、「ａまたはｂまたはｃまたはそれらの要素の任意の組み合わせ」を意味する。例えば、この用語は、ａ、またはｂ、またはｃ、あるいは、ａおよびｂ、またはａおよびｃ、またはａおよびｂおよびｃ、あるいは、２ａ、または２ｂ、または２ｃ、あるいは２ａおよびｂなどを含み得る。
【０１７６】
[0191]本明細書で使用される場合、「決定すること」という用語は、幅広いアクションを包含する。例えば、「決定すること」は、算出すること（calculating）、計算すること（computing）、処理すること（processing）、導出すること（ｄｅｒｉｖｉｎｇ）、調査すること（investigating）、調べること（looking up）（例えば、表、データベース、または別のデータ構造を調べること）、確かめること（ascertaining）等を含み得る。また、「決定すること」は、受信すること（例えば、情報を受信すること）、アクセスすること（例えば、メモリ内のデータにアクセスすること）などを含み得る。また、「決定すること」は、解決すること、選択すること、選ぶこと、確立することなどを含み得る。
【０１７７】
[0192]前述の開示は例示的な態様を示すが、添付の特許請求の範囲から逸脱することなく、本明細書において様々な変更および修正が成されることができることに留意されたい。本明細書で説明される態様に従った方法の請求項の機能、ステップ、またはアクションは、そうではないと明記されない限り、任意の特定の順序で実施される必要はない。さらに、要素が単数形で説明または特許請求され得るが、単数形への限定が明記されていない限り、複数形が考慮されている。
【図１】
2020519126.tif 000003
【図２】
2020519126.tif 000004
【図３】
2020519126.tif 000005
【図４】
2020519126.tif 000006
【図５】
2020519126.tif 000007
【図６】
2020519126.tif 000008
【図７】
2020519126.tif 000009
【図８】
2020519126.tif 000010
【図９】
2020519126.tif 000011
【図１０】
2020519126.tif 000012
【図１１】
2020519126.tif 000013
【図１２】
2020519126.tif 000014
【図１３】
2020519126.tif 000015
【図１４】
2020519126.tif 000016
【図１５】
2020519126.tif 000017
【国際調査報告】
2020519126.tif 000018
2020519126.tif 000019
2020519126.tif 000020
2020519126.tif 000021